(57)【要約】【課題】利便性を維持しながらも、高いセキュリティを得ることが可能なＩＣタグユニット、及びそのＩＣタグユニットを用いた管理システムの提供。【解決手段】ＩＣタグユニット１０は、ＩＣタグ２０と、操作部１４に特定操作が加えられたことを検出するための状態検出センサー１２とを備えている。状態検出センサー１２は、特定操作を受ける前は、端子１２Ａ，１２Ｂと接続線１２Ｃとが接続された通電状態であり、特定操作を受けた後は、端子１２Ａ，１２Ｂから接続線１２Ｃが脱落した不通状態となる。しかも、不通状態は、通電状態とは不可逆的な状態である。ＩＣタグ２０は、リーダライタ装置からの動作指令が書込指令であれば、規定物品情報を記憶部に記憶する。ただし、動作指令が書込指令であっても、状態検出センサー１２が不通状態であれば、規定物品情報を破棄し、その規定物品情報を記憶部に記憶することなく、処理部の動作を終了する。【選択図】図２
2011028715.tif 000002
【特許請求の範囲】
【請求項１】
データを記憶する記憶手段と、
前記記憶手段へのデータの書き込み制御を実行する書込実行手段と、
予め規定された信号を外部から受信すると、前記記憶手段に記憶されているデータを送信する送受信手段と
特定の操作を受け付ける前の状態を第１状態とし、前記特定の操作を受け付けると前記第１状態とは不可逆的な状態である第２状態へと変化する状態変化機構を有し、前記状態変化機構の状態を検出する状態検出手段と、
前記状態検出手段での検出の結果、前記状態変化機構が第１状態から第２状態へと切り替わると、前記書込実行手段による書き込み制御の実行を禁止する書込制御手段と
を備えることを特徴とするＩＣタグユニット。
【請求項２】
前記書込制御手段は、
前記状態検出手段での検出の結果、前記状態変化機構が第１状態であれば、前記書込実行手段による書き込み制御の実行を許可することを特徴とする請求項１に記載のＩＣタグユニット。
【請求項３】
前記状態変化機構は、
前記第１状態において通電可能な配線からなり、
前記第２状態では、前記配線が切断された状態、または前記配線の抵抗値が前記第１状態から変化された状態となるように構成されていることを特徴とする請求項１または請求項２に記載のＩＣタグユニット。
【請求項４】
前記状態変化機構は、
前記特定の操作を受け付けてから予め規定された時間長が経過した後、前記第２状態へと切り替わるように構成されていることを特徴とする請求項１ないし請求項３のいずれか１項に記載のＩＣタグユニット。
【請求項５】
前記状態変化機構は、
前記第１状態から前記第２状態へと切り替わったことを通知する状態通知機構を備えることを特徴とする請求項１ないし請求項４のいずれか１項に記載のＩＣタグユニット。
【請求項６】
前記状態通知機構は、
前記第２状態へと切り替わったことを、表示色の変化によって通知することを特徴とする請求項５に記載のＩＣタグユニット。
【請求項７】
請求項１ないし請求項６のいずれか１項に記載され、かつ物品に取り付けられるＩＣタグユニットと、
前記送受信手段から送信されたデータである取得データに基づいて、前記物品の状態を管理する状態管理手段と、
前記状態管理手段での管理結果を報知する報知手段と
を備えることを特徴とする管理システム。
【請求項８】
前記物品とは、工業製品の部分品であり、
前記部分品を識別するために前記部分品毎に予め設定されたデータを識別データとし、前記記憶手段に記憶されるデータの１つとして、識別データを少なくとも含み、
前記状態管理手段は、
前記取得データの中に前記識別データが含まれているか否かに基づいて、前記物品の状態として、前記部分品が真正品であるか否かを管理することを特徴とする請求項７に記載の管理システム。
【請求項９】
前記物品とは、工業製品の部分品であり、
前記部分品の製造年月日、または前記部分品の使用開始年月日のうち、少なくとも１つを品質保証データとし、前記記憶手段に記憶されるデータの１つとして、前記品質保証データを含み、
前記状態管理手段は、
前記取得データ中に含まれる前記品質保証データに基づいて、前記部分品の品質が保証される期間内であるか否かを前記物品の状態として管理することを特徴とする請求項７に記載の管理システム。
【請求項１０】
前記物品とは、食料品そのもの、または食料品を収納したパッケージであり、
前記食料品の製造年月日、賞味期限、消費期限のうち、少なくとも１つを品質管理データとし、前記記憶手段に記憶されるデータとして、前記品質管理データを含み、
前記状態管理手段は、
前記取得データ中に含まれる前記品質管理データに基づいて、前記食料品の品質が保証される期間内であるか否かを前記物品の状態として管理することを特徴とする請求項７に記載の管理システム。
【請求項１１】
請求項１ないし請求項６のいずれか１項に記載されたＩＣタグユニットであって、
物流の対象となる物流対象物に取り付けられるものであり、
前記記憶手段が記憶するデータは、前記物流対象物の荷元、荷受け日時、荷受け場所、運搬人、流通経路、流通時刻、荷渡し日時、荷渡し場所、運搬に使用する車両，航空機，鉄道，船舶，のうち、少なくとも１つを含む
ことを特徴とするＩＣタグユニット。
【請求項１２】
請求項１ないし請求項６のいずれか１項に記載されたＩＣタグユニットであって、
物品に取り付けられるものであり、
前記記憶手段が記憶するデータは、前記物品に対して予め定められた位置を示す情報を含む
ことを特徴とするＩＣタグユニット。
【請求項１３】
データを記憶する記憶手段と、
前記記憶手段へのデータの書き込み制御を実行する書込実行手段と、
予め規定された信号を外部から受信すると、前記記憶手段に記憶されているデータを送信する送受信手段と
特定の操作を受け付ける前の状態を第１状態とし、前記操作を受け付けると前記第１状態とは不可逆的な状態である第２状態へと変化する状態変化機構を有し、前記状態変化機構の状態を検出する状態検出手段と、
前記状態検出手段での検出の結果、前記状態変化機構が第１状態であれば、前記書込実行手段による書き込み制御の実行を禁止し、前記状態変化機構が第１状態から第２状態へと切り替わると、前記書込実行手段による書き込み制御の実行を許可する書込制御手段とを備えることを特徴とするＩＣタグユニット。
【発明の詳細な説明】
【技術分野】
【０００１】
本発明は、ＩＣタグユニット、及びそのＩＣタグユニットを用いた管理システムに関する。
【背景技術】
【０００２】
従来より、商品の販売期限（賞味期限，消費期限など）や人の入退室（入退場）等、予め定められた対象（以下、管理対象と称す）を管理するための管理システムが知られている。
【０００３】
この種の管理システムとして、無線により外部からの信号を受信すると、記憶部に記憶された管理対象についての情報（データ）を送信するＩＣタグと、そのＩＣタグに対して信号を送信してＩＣタグの記憶部に情報を書き込むと共に、ＩＣタグからの情報を受信するリーダライタ装置とを備えたものがある（例えば、特許文献１，２参照）。
【先行技術文献】
【特許文献】
【０００４】
【特許文献１】特開２００２−８３２５０号公報
【特許文献２】特開２００４−３３９７８９号公報
【発明の概要】
【発明が解決しようとする課題】
【０００５】
ところで、ＩＣタグの中には、リーダライタ装置からの信号（データ）に従って、記憶部に記憶した情報を書き換え可能に構成されたもの（以下、書換ＩＣタグと称す）がある。
【０００６】
その書換ＩＣタグを、上述した管理システムに用いることを考える（以下、想定管理システムと称す）。この想定管理システムでは、一般的に、リーダライタ装置を介して入力された情報が予め登録されたパスワードと一致した場合、ＩＣタグの記憶部に記憶された情報を書き換える権限を有した人物（以下、管理者とする）であるものと判断する。そして、ＩＣタグでは、管理者が入力した情報に従って、記憶部に記憶された管理対象についての情報を書き換えたりまたは追加したりすることがなされる。
【０００７】
しかしながら、このような想定管理システムでは、パスワードが一致すれさえすれば、管理者以外の人物であっても、管理対象についての情報を書き換えたりまたは追加したりすることが可能となる。つまり、管理者以外の人物によって、管理対象についての情報が、不正に書き換えられたり、追加されたりする可能性がある。
【０００８】
そして、管理対象についての情報が不正に書き換えられたり追加されたりすると、管理対象を正確に管理できないだけでなく、管理システムの利用者に不都合が生じる（例えば、商品の購入者に偽りの賞味期限が知らされるなど）という問題がある。
【０００９】
また、ＩＣタグの中には、記憶部に記憶された情報を一度だけ書き換え可能に構成されたもの（いわゆるＯｎｅＷａｙ型のＩＣタグ）や、記憶部に記憶された情報を読み込むことだけが可能な読み込み専用のもの（いわゆるＲＯＭ型のＩＣタグ）が知られている。これらのＩＣタグを上述した管理システムに用いれば、管理対象についての情報が不正に書き換えられたり追加されたりすることを低減できる。
【００１０】
しかし、これらのＯｎｅＷａｙ型のＩＣタグやＲＯＭ型のＩＣタグは、記憶部に記憶した情報を書き換えることができず、利用者にとって使い勝手が悪いという問題がある。
つまり、従来のＩＣタグは、利用者の使い勝手を維持しつつも、高いセキュリティを得ることができないという問題があった。
【００１１】
そこで、本発明は、利便性を維持しながらも、高いセキュリティを得ることが可能なＩＣタグユニット、及びそのＩＣタグユニットを用いた管理システムを提供することを目的とする。
【課題を解決するための手段】
【００１２】
上記目的を達成するためになされた本発明は、データを記憶する記憶手段と、記憶手段へのデータの書き込み制御を実行する書込実行手段と、予め規定された信号を外部から受信すると、記憶手段に記憶されているデータを送信する送受信手段とを備えたＩＣタグユニットに関するものである。
【００１３】
その本発明のＩＣタグユニットでは、状態検出手段が、特定の操作（例えば、後述する実施形態にて説明するように、特定の部材を剥離したり，引き抜いたり）を受け付けると第１状態とは不可逆的な状態である第２状態へと変化する状態変化機構の状態を検出し、その検出の結果、状態変化機構が第１状態から第２状態へと切り替わると、書込制御手段が、書込実行手段による書き込み制御の実行を禁止する。ただし、ここで言う第１状態とは、特定の操作を受け付ける前の状態変化機構の状態である。
【００１４】
このような本発明のＩＣタグユニットに備えられた状態変化機構は、一度、特定の操作を受け付け、第２状態に変更されると、第１状態へと戻されることがない。
したがって、本発明のＩＣタグユニットによれば、状態変化機構が第１状態から第２状態へと切り替えられると、以降、書き込み制御の実行禁止が解除されることがない。よって、本発明のＩＣタグユニットによれば、第２状態へ変化した後は、記憶部に記憶された情報が書き換えられることを防止でき、高いセキュリティを得ることができる。しかも、本発明のＩＣタグユニットでは、状態変化機構が第２状態へと変化する以前の第１状態であれば、記憶部に対して情報を自由に書き込むことができ、利用者にとっての使い勝手のよいものとなる。
【００１５】
つまり、本発明のＩＣタグユニットによれば、利便性を維持しながらも、高いセキュリティを得ることができる。
さらに、本発明において、書込制御手段は、請求項２に記載のように、状態変化機構が第１状態である場合には、書込実行手段による書き込み制御の実行を許可するように構成されていることが望ましい。
【００１６】
このように構成された本発明のＩＣタグユニットでは、特定の操作を受け付ける前は、記憶手段に対するデータの書き込みが可能である。このため、必要なデータを記憶手段に書き込んだ後、状態変化機構を第２状態に変化させるように、本発明のＩＣタグユニットを使用すれば、必要なデータを確実に記憶手段に保持させることができる。
【００１７】
ところで、本発明における状態変化機構が、第１状態において通電可能な配線からなる場合、請求項３に記載のように、第２状態では、配線が切断された状態、または配線の抵抗値が第１状態から変化した状態となるように構成されていることが望ましい。
【００１８】
つまり、本発明における状態変化機構は、配線を切断、または配線の抵抗値を変化させることで、第１状態とは不可逆的な状態（即ち、第２状態）を作り出すように構成されていても良い。
【００１９】
そして、本発明における状態変化機構は、請求項４に記載のように、特定の操作を受け付けてから予め規定された時間長が経過した後、第２状態へと切り替わるように構成されていても良い。
【００２０】
このように構成されたＩＣタグユニットによれば、特定の操作を受け付けてから、データの書き込みが禁止される（即ち、不可能となる）までにタイムラグが生じる。このため、特定の操作が加えられた後、規定された時間長が経過するまでの間は、ＩＣタグユニットの記憶手段にデータを書き込むことができる。
【００２１】
なお、時間長が経過した後に第２状態へと切り替わるように構成するためには、配線を形成する素材として、それぞれ導電性を有し、かつ、大気中の水分に触れると抵抗が変化する吸湿抵抗変化物や、大気中の酸素に触れると抵抗が変化する酸化抵抗変化物、大気にさらされると蒸発する蒸発導電性物などを用いることが考えられる。
【００２２】
特に、本発明における状態変化機構は、請求項５に記載のように、第１状態から第２状態へと切り替わったことを通知する状態通知機構を備えるように構成されていても良い。
このように構成されたＩＣタグユニットによれば、状態変化機構が第１状態から第２状態へと変化したか否か、即ち、記憶手段に対してデータの書き込みを実行可能な状態であるか不可能な状態であるかを、利用者に認識させることができる。
【００２３】
なお、状態通知機構は、請求項６に記載のように、第２状態へと切り替わったことを、表示色の変化によって通知するように構成されていても良い。
つまり、このように構成された状態通知機構では、第１状態から第２状態へと状態変化機構が切り替わったことを視覚的に通知する。この結果、利用者は、第２状態へと切り替わったことを、容易に認識することができる。
【００２４】
特に、状態通知機構を、大気にさらされると色が変化する塗料などを用いて構成すれば、簡易な構成で上記効果を得ることができる。
ところで、本発明は、ＩＣタグユニットが取り付けられた物品の状態を管理する管理システムとしてなされたものでも良い。
【００２５】
ただし、本発明の管理システムは、請求項７に記載のように、状態管理手段が、送受信手段から送信されたデータである取得データに基づいて、物品の状態を管理し、その管理結果を、報知手段が報知するように構成されている必要がある。
【００２６】
なお、管理すべき物品（以下、管理物品と称す）や管理すべき項目（以下、管理項目と称す）に応じて、ＩＣタグユニットを取り付ける物品や、ＩＣタグユニットの記憶手段に記憶するデータは変更される。
【００２７】
例えば、工業製品の部分品が管理物品であり、その部分品が真正品であるか否かを、管理項目とする。この場合、本発明の管理システムにおける状態管理手段は、請求項８に記載のように、取得データの中に識別データが含まれているか否かに基づいて、物品の状態として、部分品が真正品であるか否かを管理するように構成されていることが望ましい。ただし、ここで言う識別データとは、ＩＣタグユニットの記憶手段に記憶されるデータの１つであり、部分品を識別するために部分品毎に予め設定されたデータである。
【００２８】
このように構成された管理システムによれば、部分品が真正品であるか否かを管理することができ、この結果、部分品として真正品以外のものが利用されることを低減できる。
また、例えば、工業製品の部分品を管理物品とし、その部分品の品質を保証可能な期間を管理項目とする。この場合、本発明の管理システムにおける状態管理手段は、請求項９に記載のように、取得データ中に含まれる品質保証データに基づいて、物品の状態として、部分品の品質が保証される期間内であるか否かを管理するように構成されていることが望ましい。ただし、ここで言う品質保証データとは、記憶手段に記憶されるデータの１つであり、部分品の製造年月日、または部分品の使用開始年月日のうち、少なくとも一方である。
【００２９】
このように構成された本発明の管理システムによれば、部分品の品質を保証可能な期間内であるか否かを管理することができ、部分品の品質が保証されるべき期間内であることを利用者に認識させることができる。
【００３０】
なお、部分品の品質が保証される期間内であるか否かの管理は、製造年月日や使用開始年月日からの経過時間を管理することで実施しても良いし、品質を保証可能な期限（例えば、年月日）を経過したか否かを管理することで実施しても良い。
【００３１】
ここで言う工業製品の部分品としては、例えば、自動車を構成する部分品（ここでいう自動車には、プラスチック製の電気自動車などを含む）や、レーザプリンタ（もしくはコピー機）に装着されるカートリッジ（現像カートリッジやドラムカートリッジ）及び感光体ドラム、インクジェットプリンタに装着されるインクタンクなどが考えられる。
【００３２】
さらに、例えば、食料品を管理物品とし、その食料品の品質を保証可能な期間を管理項目とする。この場合、本発明の管理システムにおける状態管理手段は、請求項１０に記載のように、取得データ中に含まれる品質管理データに基づいて、物品の状態として、食料品の品質が保証される期間内であるか否かを管理するように構成されていることが望ましい。ただし、ここで言う品質管理データとは、記憶手段に記憶されるデータの１つであり、食料品の製造年月日、賞味期限、消費期限のうち、少なくとも１つを含むものである。
【００３３】
このように構成された本発明の管理システムによれば、食料品の品質を保証可能な期間内であるか否かを管理することができる。この結果、利用者（消費者）は、食料品の品質が保証された期間内であることを認識することができる。
【００３４】
なお、食料品の品質が保証される期間内であるか否かの管理は、製造年月日からの経過時間が規定範囲内であるか否かを管理することで実施しても良いし、現在の年月日が賞味期限や消費期限を経過したか否かを管理することで実施しても良い。
【００３５】
また、ここで言う食料品は、人が食するものであり、例えば、生鮮食料品や加工食品の他に、医薬品、医薬部外品を含むものである。
ところで、本発明のＩＣタグユニットは、請求項１１に記載のように、物流の対象となる物流対象物に取り付けられるものであって、記憶手段が記憶するデータが、物流対象物の荷元、荷受け日時、荷受け場所、運搬人、流通経路、流通時刻、荷渡し日時、荷渡し場所、運搬に使用する車両，航空機，鉄道，船舶，のうち、少なくとも１つを含むように構成されていてもよい。
【００３６】
このように構成されたＩＣタグユニットであれば、記憶手段のデータを読み出すことで、配達記録の情報を取得することができる。また、状態変化機構が第２状態へと切り替えることで、その時点で記憶手段に記憶されている情報の信頼性を高めることができる。
【００３７】
また、本発明のＩＣタグユニットは、請求項１２に記載のように、物品に取り付けられるものであって、記憶手段が記憶するデータは物品に対して予め定められた位置を示す情報を含むように構成されていてもよい。
【００３８】
このように構成されたＩＣタグユニットであれば、記憶手段のデータを読み出すことで、物品に定められた位置を確認することができる。
ところで、本発明のＩＣタグユニットにおいて書込制御手段は、請求項１３に記載のように、状態変化機構が第１状態であれば、書込実行手段による書き込み制御の実行を禁止し、状態変化機構が第１状態から第２状態へと切り替わると、書込実行手段による書き込み制御の実行を許可するように構成されていても良い。
【００３９】
このように構成されたＩＣタグユニットでは、状態変化機構が第１状態である間、即ち、特定の操作を受け付けるまでの間は、記憶手段に対するデータの書き込み制御の実行が防止される。
【００４０】
そして、第２状態は、第１状態とは不可逆状態であるため、状態変化機構は、一度、特定の操作を受け付け、第２状態に変更されると、第１状態へと戻されることがない。
したがって、このように構成されたＩＣタグユニットによれば、状態変化機構が第１状態から第２状態へと切り替えられた時、即ち、データの書き込みが可能となったタイミングまでは、記憶手段に対してデータの書き込みがなされていない状態であることを保証できる。換言すれば、本発明のＩＣタグユニットによれば、特定の操作を受け付けるまでは、ＩＣタグユニットが未使用であることを保証できる。
【図面の簡単な説明】
【００４１】
【図１】情報処理システム１の概略構成を示すブロック図である。
【図２】リーダライタ装置３１が実行するライト処理の処理手順を示したフローチャートである。
【図３】リーダライタ装置３１が実行するリード処理の処理手順を示したフローチャートである。
【図４】対象物品８に取り付けられたＩＣタグユニット１０の構成図である。
【図５】剥離部１６の概略構成を示した説明図である。
【図６】通知機構１３の概略構成を示した説明図である。
【図７】状態検出センサー１２の周辺構造を示した説明図である。
【図８】ＩＣタグ２０の構成を示したブロック図である。
【図９】処理部２５の動作手順を示したフローチャートである。
【図１０】状態検出センサー１１２の変形例を示した説明図である。
【図１１】第２実施形態における対象物品管理システム７０の概略構成を示したブロック図である。
【図１２】第２実施形態において、情報処理装置３５が実行するレジ精算処理の処理手順を示したフローチャートである。
【図１３】第３実施形態における状態検出センサー周辺の構成を示した説明図である。
【図１４】第４実施形態における対象物品管理システム８０の概略構成を示したブロック図である。
【図１５】第４実施形態において、情報処理装置８２が実行する部分品管理処理の処理手順を示したフローチャートである。
【図１６】第５実施形態における配達記録管理システム３０１の概略構成を示したブロック図である。
【図１７】第５実施形態におけるＩＣタグユニット３１０の構成図である。
【図１８】第５実施形態におけるＩＣタグ２０Ａの構成を示したブロック図である。
【図１９】配達記録管理システムの運用を説明するフローチャートである。
【図２０】第５実施形態におけるライト処理の処理手順を示したフローチャートである。
【図２１】第５実施形態におけるリード処理の処理手順を示したフローチャートである。
【図２２】第５実施形態におけるＩＣタグ制御処理の処理手順を示したフローチャートである。
【図２３】ＩＣタグユニットの変形例を示す構成図である。
【図２４】ＩＣタグユニットの変形例を示す構成図である。
【図２５】第６実施形態における図書管理システム４０１の概略構成を示したブロック図である。
【図２６】第６実施形態における検索処理及び棚卸処理の処理手順を示したフローチャートである。
【図２７】第７実施形態における入場システム５０１の概略構成を示したブロック図である。
【図２８】ＩＣタグユニット５１０及び入場機５２０を示す構成図である。
【図２９】第７実施形態における入場処理の処理手順を示したフローチャートである。
【発明を実施するための形態】
【００４２】
以下、本発明の実施形態を図面と共に説明する。
［第１実施形態］
まず、図１は、本発明が適用されたＩＣタグユニット１０を中心に構成された情報処理システム１の概略構成を示したブロック図である。
【００４３】
〈情報処理システムについて〉
本実施形態における情報処理システム１は、物品に取り付けられるＩＣタグユニット１０と、ＩＣタグユニット１０との間でデータを送受信するリーダライタ装置３１とを備えている。以下、ＩＣタグユニット１０が取り付けられる物品を対象物品と称す。
【００４４】
このうち、ＩＣタグユニット１０は、対象物品についてのデータ（以下、物品情報と称す、詳しくは後述する）を記憶すると共に、その記憶した物品情報を、リーダライタ装置３１からの動作指令に従って送信するＩＣタグ２０を中心に構成されたものである。
【００４５】
また、リーダライタ装置３１は、無線通信により、少なくともＩＣタグ２０に対する動作指令を送信すると共に、ＩＣタグユニット１０からの物品情報を受信するものである。〈リーダライタ装置について〉
次に、リーダライタ装置について説明する。
【００４６】
このリーダライタ装置３１は、使用者からの情報の入力を受け付ける入力受付部３１Ａと、入力受付部３１Ａにて受け付けた情報に従って処理を実行する制御部３１Ｂとを備えている。
【００４７】
その制御部３１Ｂは、ＣＰＵ、ＲＯＭ、ＲＡＭ等からなるマイクロコンピュータを中心に構成されている。そして、制御部３１Ｂは、アンテナ３１Ｃから予め規定された通信距離内（通信可能範囲内）に存在するＩＣタグユニット１０との間で、ＩＣタグユニット１０が実行すべき動作内容を表す動作指令を少なくとも含む信号を送信する無線通信処理を行う。
【００４８】
この無線通信処理として、ＩＣタグユニット１０内のＩＣタグ２０に物品情報を書き込むための書込指令、及び物品情報を送信するライト処理と、ＩＣタグ２０に記憶されている物品情報を取得するための読出指令を送信するリード処理とのうち、少なくとも一方が用意されている。
【００４９】
ここで、図２は、リーダライタ装置３１によって実行されるライト処理の処理手順を示したフローチャートである。
このライト処理は、起動されると、図２に示すように、Ｓ３１０では、ＩＣタグ２０に記憶すべき物品情報が、入力受付部３１Ａを介して入力されたか否かを判断する。その判断の結果、物品情報が入力されると、Ｓ３２０へと進む。
【００５０】
そのＳ３２０では、Ｓ３１０にて入力受付部３１Ａを介して入力された物品情報、及び書込指令を、アンテナ３１Ｃを介して出力する。
続くＳ３３０では、本ライト処理を終了するための終了指令が、入力受付部３１Ａを介して入力されたか否かを判断する。その判断の結果、終了指令が入力されていなければ、Ｓ３１０へと戻り、終了指令が入力されていれば、本ライト処理を終了する。
【００５１】
次に、リード処理について、図３を参照して説明する。その図３は、リーダライタ装置３１によって実行されるリード処理の処理手順を示したフローチャートである。
このリード処理は、起動されると、図３に示すように、Ｓ４１０にて、アンテナ３１Ｃを介して読出指令を送信する。
【００５２】
続いて、ＩＣタグ２０からの返信される物品情報を、アンテナ３１Ｃを介して取得したか否かを判断する（Ｓ４２０）。その判断の結果、物品情報を取得していなければ、当該リーダライタ装置３１の通信範囲内にＩＣタグ２０が存在しないか、あるいは存在していても物品情報を返信してこないものと判断して、Ｓ４１０へと戻り、読出指令を再度送信する。
【００５３】
一方、物品情報を取得していれば、即ち、当該リーダライタ装置３１の通信範囲内にＩＣタグ２０が存在していれば、Ｓ４３０へと進む。そのＳ４３０では、ＩＣタグユニット１０から返信された物品情報を用いた物品情報処理を実行する。
【００５４】
なお、具体的に、本実施形態における物品情報処理では、ＩＣタグ２０から取得した物品情報を、図示しない外部装置に出力する。ただし、物品情報処理は、これに限るものではなく、例えば、物品情報を取得したことを、当該リーダライタ装置３１の使用者に通知することでも良いし、その取得した物品情報の内容を、当該リーダライタ装置３１の使用者に通知することでも良い。
【００５５】
そして、Ｓ４４０では、本リード処理を終了するための終了指令が入力されたか否かを判断する。その判断の結果、終了指令が入力されていなければ、Ｓ４１０へと戻り、読出指令を再度出力する。一方、終了指令が入力されていれば、リード処理を終了する。
【００５６】
なお、本実施形態のリーダライタ装置３１は、通信可能範囲内に複数の通信対象（具体的にはＩＣタグユニット１０）が存在していても各通信対象と通信可能な機能（アンチコリジョン機能）を有している。
〈ＩＣタグユニット１０について〉
次に、ＩＣタグユニット１０について説明する。
【００５７】
ここで、図４は、対象物品８に取り付けられたＩＣタグユニット１０の構成図である。
このＩＣタグユニット１０は、ＩＣタグ２０を収容した本体部１９と、予め規定された特定の操作（以下、特定操作と称す）を利用者から受け付けるための操作受付部１１とを備えている。
【００５８】
このうち、操作受付部１１は、利用者が特定操作を加えるための操作部１４と、操作部１４に特定操作が加えられたことを検出するための状態検出センサー１２と、操作部１４に特定操作が加えられたことを利用者に通知するための通知機構１３とを備えている。
【００５９】
操作部１４は、本体部１９に貼付される剥離部１６と、剥離部１６に固定されたピン１７とからなる。
そして、剥離部１６は、空気（特に、酸素）を透過しない材料にて形成された薄膜からなる。その剥離部１６は、図５に示すように、全体として、長尺状の五角形に形成されており、無色透明に形成された矩形状の部位である窓部１８を有している。
【００６０】
その剥離部１６は、人の手で剥離可能な程度の粘着力を有した粘着剤により、本体部１９に貼付される。ただし、粘着剤は、本体部１９から剥離部１６が容易に剥離可能となるように、剥離部１６における長手方向の一方の端部（以下、把持端と称す）１６Ａには付されていないものとする。
【００６１】
また、ピン１７は、本体部１９に穿設された孔（以下、嵌入孔と称す）１９Ａに嵌入されるように円柱状に形成された部材であり、剥離部１６と連動するように剥離部１６に固定されている。
【００６２】
つまり、操作部１４は、剥離部１６が本体部１９から剥離されることを特定操作として受け付けるように構成されている。なお、特定操作を受け付けると、剥離部１６に固定されたピン１７は、本体部１９から剥離される際に嵌入孔１９Ａから抜き取られる。
【００６３】
また、通知機構１３は、剥離部１６を本体部１９に貼付した際に、剥離部１６に形成された窓部１８に被覆されるように本体部１９の表面上１９Ｂに設けられている。その通知機構１３は、図６（Ａ）に示すように、予め規定された規定色ＫＣの塗料が塗布された背景部１３Ｂと、特定操作を受け付ける前の状態である旨を示す「書込可能」表示（以下、状態情報と称す）１３Ｃが、背景部１３Ｂ上に記述された状態情報表示部１３Ａとからなる。
【００６４】
なお、状態情報表示部１３Ａに状態情報１３Ｃを記述するための塗料は、詳細な説明は省略するが、大気（特に酸素）に触れていない状態では、規定色ＫＣとは異なる色であり、酸素に触れると規定色ＫＣに変化する周知のものである。以下、特定操作を受け付ける前の状態を操作前状態と称し、特定操作を受け付けた後の状態を操作後状態と称す。
【００６５】
つまり、通知機構１３は、操作前状態においては、図６（Ａ）に示すように、剥離部１６（より正確には窓部１８）により被覆されているため、状態情報表示部１３Ａの状態情報１３Ｃと背景部１３Ｂとの表示色が異なる。そして、剥離部１６が本体部１９から剥離されると、背景部１３Ｂが大気（酸素）に触れ、図６（Ｂ）に示すように、状態情報表示部１３Ａと背景部１３Ｂとの表示色が同一の規定色ＫＣとなる。
【００６６】
換言すれば、通知機構１３は、状態情報表示部１３Ａと背景部１３Ｂとの表示色が同一色であるか相違するかによって、操作部１４に対して利用者が特定操作を加えたか否かを、利用者に識別（視認）させるように構成されている。
【００６７】
〈状態検出センサー〉
ここで、状態検出センサー１２について説明する。
図７（Ａ）は、本体部１９の嵌入孔１９Ａ周辺に形成された状態検出センサー１２を嵌入孔１９Ａの上方から見た上面図であり、図７（Ｂ）は、状態検出センサー１２を嵌入孔１９Ａの側方から見た側面図である。
【００６８】
図７に示すように、この状態検出センサー１２は、本体部１９から嵌入孔１９Ａ内に突出した２つの端子１２Ａ，Ｂと、その２つの端子１２Ａ，Ｂを接続するための接続線１２Ｃとを備えている。
【００６９】
なお、接続線１２Ｃは、導電性を有した線状の部材からなり、端子１２Ａの先端から嵌入孔１９Ａ内に突出するように形成されている。その接続線１２Ｃは、嵌入孔１９Ａにピン１７が嵌入されることで、端子１２Ａの先端を基点にして折り曲げられ、端子１２Ｂに接触する。ただし、接続線１２Ｃは、端子１２Ａとの接続強度が、嵌入孔１９Ａからピン１７が引き抜かれると、接続線１２Ｃが端子１２Ａから脱落する程度に形成されている。
【００７０】
つまり、状態検出センサー１２は、操作前状態においては、端子１２Ａ，１２Ｂと接続線１２Ｃとが接続されたローインピーダンスな状態（即ち、本発明の第１状態、以下、通電状態と称す）である。そして、操作後状態においては、端子１２Ａ，１２Ｂから接続線１２Ｃが脱落したハイインピーダンスな状態（即ち、本発明の第２状態、以下、不通状態と称す）となる。しかも、接続線１２Ｃが端子１２Ａ，１２Ｂから脱落した状態（即ち、不通状態）は、接続線１２Ｃが端子１２Ａ，１２Ｂ間を接続した状態（即ち、通電状態）とは不可逆的な状態である。
〈ＩＣタグについて〉
次に、ＩＣタグについて説明する。
【００７１】
ここで、図８は、ＩＣタグの概略構成を示したブロック図である。
このＩＣタグ２０は、図８に示すように、送受信アンテナ２１を介してリーダライタ装置３１との間で信号（電磁波）を送受信する送受信部２２と、送受信部２２にて受信した信号に従って起電力を発生して、ＩＣタグ２０を構成する各部に対して電源を供給する電源部２３とを備えている。さらに、ＩＣタグ２０は、物品情報を記憶する記憶部２４と、リーダライタ装置３１からの動作指令に従って、ＩＣタグ２０を構成する各部２２，２３，２４を制御する処理部２５とを備えている。
【００７２】
このうち、記憶部２４は、電源供給が遮断されても記憶内容を保持すると共に、記憶内容を書き換え可能な不揮発性のメモリ（例えば、ＥＥＰＲＯＭなど）からなる。
また、処理部２５は、少なくともＣＰＵを有したマイクロコンピュータを中心に構成されている。さらに、この処理部２５には、状態検出センサー１２が接続されている。
〈処理部の動作について〉
次に、処理部２５の動作について説明する。
【００７３】
ここで、図９は、処理部２５の動作手順を示したフローチャートである。
処理部２５は、リーダライタ装置３１からの信号（より正確には、動作指令）を送受信部２２が受信して、電源部２３から電源供給が開始されると、起動されるものである。以下、処理部２５が起動する契機となった動作指令を、今動作指令と称す。
【００７４】
この処理部２５の動作は、図９に示すように、まず、書込禁止フラグが設定済みであるか否かを判断する（Ｓ１１０）。
なお、この書込禁止フラグは、設定されていれば、記憶部２４へのデータの書き込みが禁止であることを表し、クリアされていれば、記憶部２４へのデータの書き込みが許可されていることを表すものである。
【００７５】
そのＳ１１０での判断の結果、書込禁止フラグが設定済みでなければ、Ｓ１２０へと進み、状態検出センサー１２からの検出信号に従って、剥離部１６が本体部１９から剥離済みであるか否かを判断する。
【００７６】
具体的には、状態検出センサー１２からの検出信号が、端子１２Ａ，Ｂ間が導通する状態（即ち、ローインピーダンス）であれば、剥離部１６が本体部１９から剥離されていないものと判断する。一方、検出信号が、端子１２Ａ，Ｂ間が導通しない状態（即ち、ハイインピーダンス）であれば、剥離部１６が本体部１９から剥離されたものと判断する。
【００７７】
そして、Ｓ１２０での判断の結果、剥離部１６が本体部１９から剥離されていれば、書込禁止フラグを設定して（Ｓ１３０）、その後、Ｓ１４０へと進む。
つまり、剥離部１６が本体部１９から剥離された後、リーダライタ装置３１からの動作指令を最初に受信した際に、書込禁止フラグが設定される。
【００７８】
なお、Ｓ１１０での判断の結果、書込禁止フラグが設定済みである場合には、剥離部１６が本体部１９から剥離されてから、リーダライタ装置３１からの動作指令を複数回受信したものと判断し、書込禁止フラグを設定したまま、Ｓ１４０へと進む。また、Ｓ１２０での判断の結果、剥離部１６が剥離済みでない場合、書込禁止フラグを未設定に維持したまま、Ｓ１４０へと進む。
【００７９】
続くＳ１４０では、今動作指令が書込指令であるか否かを判断する。その判断の結果、今動作指令が書込指令であれば、Ｓ１５０にて、書込禁止フラグが設定済みであるか否かを判断する。
【００８０】
そして、Ｓ１５０での判断の結果、書込禁止フラグがクリアされていれば、リーダライタ装置３１から送信された物品情報を記憶部２４に書き込んだ後、処理部２５の動作を終了する。すなわち、剥離部１６が本体部１９から剥離されていなければ、処理部２５は、記憶部２４に記憶されている物品情報を最新の物品情報に更新したり、記憶部２４に最新の物品情報を追加したりする。
【００８１】
そして、その後、次の動作指令が入力されるまで待機する。
一方、Ｓ１５０での判断の結果、書込禁止フラグが設定されていれば、リーダライタ装置３１から送信された物品情報を破棄した上で、処理部２５の動作を終了する。すなわち、剥離部１６が剥離済みであれば、記憶部２４に対する書き込み制御が禁止される。
【００８２】
そして、その後、次の動作指令が入力されるまで待機する。
ところで、Ｓ１４０での判断の結果、今動作指令が書込指令でなければ、Ｓ１７０へと進む。
【００８３】
そのＳ１７０では、今動作指令が読出指令であるか否かを判断する。この判断の結果、今動作指令が読出指令であれば、Ｓ１８０にて、記憶部２４に記憶されている物品情報を読み出す。そして、その記憶部２４から読み出した物品情報を、送受信部２２へと出力する。すると、送受信部２２は、その記憶部２４から読み出した物品情報をリーダライタ装置３１へと送信する。
【００８４】
その後、処理部２５の動作を終了して、次の動作指令が入力されるまで待機する。
一方、Ｓ１７０での判断の結果、今動作指令が読出指令以外の動作指令であれば、即ち、今動作指令が、書込指令又は読出指令以外のもの（例えば、ＩＣタグ２０の動作をテストするためのチェック指令など）であれば、Ｓ１９０へと進む。そのＳ１９０では、今動作指令に従った制御（例えば、チェック指令であれば、ＩＣタグ２０が正常に動作するか否かをチェックするチェック動作）を実行する。その後、処理部２５の動作を終了して、次の動作指令が入力されるまで待機する。
【００８５】
つまり、ＩＣタグ２０では、リーダライタ装置３１からの動作指令を受信すると、処理部２５が起動して、その受信した動作指令に従った内容の制御を実行する。そして、処理部２５は、通常、動作指令が読出指令であれば、記憶部２４に記憶されている物品情報をリーダライタ装置３１に対して送信する。
【００８６】
一方、動作指令が書込指令であれば、リーダライタ装置３１から送信された物品情報を記憶部２４に記憶する。ただし、動作指令が書込指令であっても、書込禁止フラグが設定されていれば、リーダライタ装置３１から送信された物品情報を記憶することなく、処理部２５の動作を終了する。
【００８７】
［第１実施形態の効果］
以上、説明したように、本実施形態のＩＣタグ２０は、使用者から特定操作（個々では、剥離部１６を本体部１９から剥離すること）を操作部１４が受け、状態検出センサー１２がハイインピーダンスとなると、リーダライタ装置３１から受信した物品情報の記憶部２４への書き込みを禁止する。なお、ＩＣタグ２０は、状態検出センサー１２がハイインピーダンスとなると、この物品情報を記憶部２４に対して書き込む処理に替えて、リーダライタ装置３１からの物品情報を受信しないように構成しても良い。
【００８８】
そのハイインピーダンスは、一度、剥離部１６が剥離されることで、端子１２Ａ，１２Ｂから接続線１２Ｃが脱落、あるいは接続線１２Ｃが切断した通電不可能な状態であり、しかも、剥離部１６が本体部１９から剥離される前の通電状態とは不可逆的な状態である。
【００８９】
したがって、本実施形態のＩＣタグ２０によれば、剥離部１６が本体部１９から剥離されると、以降、書き込み制御の実行禁止が解除されることがない。よって、本実施形態のＩＣタグユニット１０によれば、剥離部１６を本体部１９から剥離することを特定操作として受け付けた後は、記憶部２４に対する書き込みが実行されることを防止できる。
【００９０】
これらの結果、利便性を向上させつつ、高いセキュリティを得ることが可能なＩＣタグユニット１０を提供することができる。
また、本実施形態のＩＣタグユニット１０では、剥離部１６が本体部１９から剥離されると、状態情報表示部１３Ａが、背景色と同一色に変化する。
【００９１】
このため、本実施形態のＩＣタグユニット１０によれば、そのＩＣタグユニット１０に対して書込制御を実行可能な状態であるのか不可能な状態であるのかを、利用者の視覚に意味を有した情報によってうったえる。この結果、利用者は、記憶部２４への書き込みが不可能な状態へと切り替わったことを、ＩＣタグユニット１０の使用方法を習得することなく、文字情報で容易に認識することができ、書き込みが不可能であるにも拘わらず誤って実行する等の誤操作を低減できる。
【００９２】
［第１実施形態の変形例］
以上、本発明の第１実施形態について説明したが、本発明は上記実施形態に限定されるものではなく、本発明の要旨を逸脱しない範囲において、様々な態様にて実施することが可能である。
【００９３】
例えば、上記実施形態のＩＣタグユニット１０においては、状態検出センサー１２及び接続線１２Ｃは、接続線１２Ｃが、嵌入孔１９Ａからピン１７が引き抜かれると、端子１２Ａから脱落する線材から構成されていたが、状態検出センサー１２及び接続線１２Ｃの構成は、これに限るものではない。
【００９４】
図１０に示すように、状態検出センサー１１２は、本体部１９に形成された窪み１１９Ａ内に突出した端子１１２Ａ，１１２Ｂを有し、剥離部１１６の背面に固着され、かつ導電性を有した薄膜１１２Ｄが接続線１２Ｃとして機能するように構成されていても良い。
【００９５】
この場合、薄膜１１２Ｄは、剥離部１６が本体部１９に貼付されている間、窪み１１９Ａ内に突出した端子１１２Ａ，１１２Ｂと接触する位置に固着されている必要がある。
また、上記実施形態におけるＩＣタグユニット１０では、記憶部２４へのデータの書き込みが禁止されているか否かを、書込禁止フラグを利用して表したが、記憶部２４へのデータの書き込みが禁止されているか否かを表す方法は、これに限るものではない。例えば、剥離部１６が剥離されると、その旨を示す（例えば、ローレベルな）信号を維持するようなラッチ回路を処理部２５に設けても良い。そして、その信号が維持されている期間は、記憶部２４への書込を禁止するように構成しても良い。
【００９６】
さらに言えば、例えば、ＩＣタグ２０が、処理部２５と記憶部２４との間のデータバスを、書き込み用と読み込み用とのそれぞれを備えている場合には、剥離部１６が本体部１９から剥離されると、その書き込み用のデータバスを切断するように構成されていても良い。すなわち、ＩＣタグ２０は、特定操作を受け付けると、データの書き込みを物理的に不可能とするように構成されていても良い。
【００９７】
また、上記実施形態におけるＩＣタグユニット１０では、ＩＣタグ２０の電源供給方式として、リーダライタ装置３１からの信号を受信すると、その受信した信号によって発生する起電力をＩＣタグ２０を構成する各部に供給するパッシブ方式としていたが、電源供給の方式は、ＩＣタグ２０に搭載した電源（電池）から各部に供給するアクティブ方式としても良い。
【００９８】
［第２実施形態］
次に、本発明の第２実施形態として、第１実施形態における情報処理システム１を用いて構成した対象物品管理システムについて説明する。
【００９９】
ここで、図１１は、本実施形態の対象物品管理システムの概略構成を示したブロック図である。
〈対象物品管理システムについて〉
この対象物品管理システム７０は、小売店において、消費者が購入する商品の状態，商品の販売数（以下、商品状態等と称す）を管理すると共に、消費者が購入する全商品を精算するためのものである。
【０１００】
このため、対象物品管理システム７０は、商品それぞれに取り付けられるＩＣタグユニット１１０と、そのＩＣタグユニット１１０に物品情報を書き込むためのライト装置７１と、ＩＣタグユニット１１０に書き込まれた物品情報を取得して、購入商品を精算するための複数台の金銭登録機３０と、精算に必要な物品情報を記憶するサーバ７２とを備えている。
【０１０１】
このうち、ＩＣタグユニット１１０は、第１実施形態にて説明したものと同一であるため、ＩＣタグユニット１１０を構成する各部については、第１実施形態におけるＩＣタグユニット１０を構成する各部と同一の符合を付して、ここでの説明は省略する。
【０１０２】
また、ライト装置７１は、第１実施形態にて説明したライト処理のみを実行可能に構成されたリーダライタ装置３１である。このため、ライト装置７１を構成する各部については、第１実施形態におけるリーダライタ装置３１を構成する各部と同一の符合を付して、ここでの説明は省略する。
【０１０３】
このライト装置７１によりＩＣタグ２０の記憶部２４に書き込まれる物品情報には、商品を識別するための識別情報（以下、商品識別情報と称す）が、少なくとも含まれている。
【０１０４】
特に、商品が食料品である場合には、商品識別情報に加えて、その食料品の製造日時、その食料品の製造者名、その食料品の賞味期限または消費期限を、物品情報として含んでいる。なお、本実施形態における食料品とは、いわゆる生鮮食料品，加工食品に加えて、医薬品，医薬部外品、特定健康食品を含むものである。
【０１０５】
本実施形態において、ＩＣタグユニット１１０は、商品、または商品を包装する容器（以下、商品等と称す）に取り付けて使用される。このＩＣタグユニット１１０を商品等に取り付ける形態としては、ＩＣタグユニット１１０をシート状に形成して、商品等に貼付しても良いし、ＩＣタグユニット１１０をチップ状に形成して、商品等に埋設しても良い。
【０１０６】
このＩＣタグユニット１１０を取り付ける場合、小売店の店員は、対象物品が食料品以外の商品（例えば、衣料品や生活雑貨）であれば、ライト装置７１の入力受付部３１Ａを介して、商品識別情報のみを物品情報として入力する。一方、対象物品が食料品であれば、ライト装置７１の入力受付部３１Ａを介して、商品識別情報，製造日時，製造者名，賞味期限（または消費期限）を物品情報として入力する。
【０１０７】
そして、ライト装置７１にライト処理を実行させて、物品情報をＩＣタグ２０の記憶部２４に記憶させる。その上で、小売店の店員は、ＩＣタグユニット１１０の剥離部１６を本体部１９から剥離し、その剥離部１６が剥離されたＩＣタグユニット１１０を商品等に取り付ける。
【０１０８】
すなわち、商品等に取り付けられたＩＣタグユニット１１０は、剥離部１６が本体部１９から剥離されたものであり、ＩＣタグ２０の記憶部２４には、物品情報が記憶されている。
【０１０９】
また、サーバ７２は、ＲＯＭ，ＲＡＭ，ＣＰＵを少なくとも有した周知のマイクロコンピュータ、及び記憶装置を中心に構成された周知のものである。
そのサーバ７２の記憶装置には、各商品について、商品識別情報と、その商品識別情報に対応する商品（以下、当該商品と称す）の種類（例えば、当該商品が食料品であるか否か）と、当該商品の販売価格とが対応付けて格納されている。
【０１１０】
以下、商品識別情報と販売価格とを対応付けた情報を販売情報と称す。なお、この販売情報は、小売店の店員などにより、必要に応じて随時変更されるものである。
〈金銭登録機について〉
次に、金銭登録機について説明する。
【０１１１】
この金銭登録機３０それぞれは、無線通信により、ＩＣタグ２０に対する読出指令を出力して、ＩＣタグユニット１１０から物品情報を取得するリード装置３３と、リード装置３３にて取得した物品情報に基づいて、商品状態等を管理すると共に、消費者が購入する商品の全金額を精算する情報処理装置３５とを備えている。
【０１１２】
このうち、リード装置３３は、第１実施形態にて説明したリード処理のみを実行可能に構成されたリーダライタ装置３１である。
すなわち、本実施形態においては、商品等に取り付けられたＩＣタグユニット１１０と、リード装置３３とにより、第１実施形態にて説明した情報処理システム１を構成している。
【０１１３】
一方、情報処理装置３５は、ＲＯＭ，ＲＡＭ，ＣＰＵを少なくとも有した周知のマイクロコンピュータ３５Ａを中心に構成され、操作部３５Ｂ，及び報知部３５Ｃを備えている。
【０１１４】
このうち、操作部３５Ｂは、外部からの操作に従って情報の入力を受け付けるものである。また、報知部３５Ｃは、マイクロコンピュータ３５Ａからの信号に従って画像を表示する表示部と、マイクロコンピュータ３５Ａからの信号に従って音声を出力する音声出力部とを備えている。
【０１１５】
つまり、情報処理装置３５は、マイクロコンピュータ３５Ａが処理プログラムに従って処理を実行するように構成されている。そして、情報処理装置３５を構成するマイクロコンピュータ３５Ａは、商品状態等を管理すると共に、それらの商品販売を精算するための精算処理を実行する。
【０１１６】
ここで、図１２は、精算処理の処理手順を示したフローチャートである。
この精算処理は、情報処理装置３５が起動されると、情報処理装置３５のマイクロコンピュータ３５Ａによって実行されるものである。
【０１１７】
そして、図１２に示すように、精算処理は、起動されると、Ｓ７２０にて、リード装置３３から物品情報が入力されたか否かを判断する。その判断の結果、物品情報が入力されていなければ、入力されるまで待機する。一方、物品情報が入力されると、Ｓ７３０へと進む。
【０１１８】
すなわち、商品等に取り付けられたＩＣタグ２０が、リード装置３３の通信範囲を通過すると、リード装置３３がＩＣタグ２０から取得した物品情報が、情報処理装置３５に入力される。
【０１１９】
そして、Ｓ７３０では、Ｓ７２０にて入力された物品情報（以下、今物品情報と称す）に含まれている商品識別情報が、食料品であることを表しているか否か、即ち、当該商品が食料品であるか否かを判断する。その判断の結果、当該商品が食料品であれば、Ｓ７４０へと進む。
【０１２０】
そのＳ７４０では、現在の日時が、今物品情報に含まれている賞味期限を経過しているか否かを判断する。そして、判断の結果、現在の日時が、賞味期限を経過していなければ、Ｓ７５０へと進む。
【０１２１】
さらに、Ｓ７５０では、現在の日時から賞味期限までの時間長（以下、保証可能期間と称す）が、予め規定された規定時間長未満であるか否かを判断する。その判断の結果、保証可能期間が規定時間長未満であれば、当該商品が割引対象であるか否かを判断して、Ｓ７６０へと進む。
【０１２２】
そのＳ７６０では、保証可能期間に基づいて、当該商品に対する割引率を決定し、Ｓ７７０へと進む。
本実施形態では、保証可能期間が短いほど、当該商品に対する割引率が階段状に大きなものとなるように、保証可能期間の長さと割引率とが対応付けられた割引率マップに従って、一義的に決定する。例えば、割引率マップは、保証可能期間が２０日から２９日までの期間は、１０％の割引率が、保証可能期間が１０日から１９日までの期間は、２０％の割引率が、保証可能期間が０日から９日までの期間は、３０％の割引率に設定されている。
【０１２３】
ところで、Ｓ７３０での判断の結果、当該商品が食料品でなければ（例えば、当該商品が、衣料品や生活雑貨である場合）には、Ｓ７４０からＳ７６０を実行することなく、Ｓ７７０へと進む。また、Ｓ７５０での判断の結果、保証可能期間が規定時間長以上である場合にも、Ｓ７７０へと進む。すなわち、当該商品の売価を販売価格から割り引く必要がない場合には、Ｓ７６０を実行することなく、Ｓ７７０へと進む。
【０１２４】
そして、Ｓ７７０では、当該商品の販売金額（いわゆる売価）を算出する。
本実施形態では、サーバ７２に格納されている当該商品についての販売価格に、Ｓ７６０にて決定した割引率（より正確には、１−割引率／１００）を乗じた価格を販売金額として算出する。ただし、Ｓ７３０またはＳ７５０にて否定判断されて（即ち、Ｓ７６０を経ることなく）Ｓ７７０へと進んだ場合には、サーバ７２に格納されている当該商品に対する販売価格そのものを販売金額として算出する（即ち、割引率を０とする）。
【０１２５】
続いて、今サイクルのＳ７７０にて算出した販売金額を、前サイクルまでに算出した販売金額の積算値に加算し（Ｓ７８０）、Ｓ８００へと進む。すなわち、Ｓ７８０では、消費者が購入予定の全商品について販売金額を合計する。
【０１２６】
ところで、Ｓ７４０での判断の結果、現在の日時が、賞味期限を経過していれば、Ｓ７９０へと進む。
そのＳ７９０では、当該商品の賞味期限が切れており、当該商品が販売対象として不適切である旨を報知部３５Ｃに出力させる。すなわち、Ｓ７９０では、当該商品の賞味期限が過ぎていることを音声出力部から出力させると共に、その旨を表す画像を表示部に表示させる。そして、その後、Ｓ８００へと進む。
【０１２７】
さらに、Ｓ８００では、商品の販売数、販売金額を確定するための精算指令が、操作部３５Ｂを介して入力されたか否かを判断する。その判断の結果、精算指令が入力されていなければ、Ｓ７２０へと戻り、精算指令が入力されると、Ｓ８１０へと進む。
【０１２８】
そして、Ｓ８１０では、Ｓ７９０にて確定された商品の販売数及び販売金額を、サーバ７２に記憶すると共に、その販売数及び販売金額をレシートに印刷する。つまり、消費者が購入した商品について精算する。
【０１２９】
その後、Ｓ７２０へと戻り、新たな物品情報が取得されるまで待機する。
つまり、精算処理では、ＩＣタグ２０から取得した物品情報を、サーバ７２中の情報に照合することで、当該商品が食料品であり、賞味期限が切れていないか判断する。さらに、その当該商品について、賞味期限が切れていなければ、割引対象であるか否かを判断し、割引対象であれば、販売金額を自動的に割り引く。
［第２実施形態の効果］
以上説明したように、本実施形態の対象物品管理システム７０では、商品等が店頭に並べられた時点でＩＣタグ２０に書き込まれている物品情報が不正に書き換えられることがない。このため、消費者は、商品等に取り付けられたＩＣタグユニット１１０から取得できる情報に従って、商品等を安心して購入できる。
【０１３０】
特に、本実施形態における精算処理によれば、賞味期限切れの商品を精算時に報知するため、賞味期限が切れた商品を誤って販売してしまうことを防止できる。
また、本実施形態における精算処理によれば、賞味期限が近づいている食料品を自動的に割り引くため、従来のように割り引きボタンを一回一回操作する必要がなくなる。このため、小売店の店員が商品の割引を失念することを防止できる。
［第２実施形態の変形例］
以上、本発明の第２実施形態について説明したが、本発明は上記実施形態に限定されるものではなく、本発明の要旨を逸脱しない範囲において、様々な態様にて実施することが可能である。
【０１３１】
例えば、上記実施形態では、ＩＣタグユニット１１０を商品等に取り付けることは、小売店などで実施していたが、このＩＣタグユニット１１０を商品等に取り付けることは、商品等を製造するメーカが商品等を出荷する際に実施しても良い。
【０１３２】
また、上記実施形態における精算処理では、Ｓ７４０にて、当該商品が食料品である場合、その食料品の賞味期限が切れているか否かを判断したが、このＳ７４０では、消費期限が切れているか否かを判断しても良い。
【０１３３】
また、上記実施形態においては、リード装置３３と情報処理装置３５とが専用の接続線にて接続されていたが、リード装置３３は、情報処理装置３５と汎用の接続線によって接続されていても良いし、無線によって接続されていても良い。
【０１３４】
なお、対象物品管理システム７０は、商品の在庫管理に用いても良い。つまり、物品情報を書き換えたり、追加したりする必要のない対象物品にＩＣタグユニット１１０が取り付けられ、そのＩＣタグユニット１１０から取得した情報を管理するように適用されていれば、適用箇所はどのようなものであっても良い。
【０１３５】
［第３実施形態］
次に、本発明の第３実施形態について説明する。
この第３実施形態における情報処理システムは、第１実施形態における情報処理システム１とは、ＩＣタグユニットの状態検出センサーの構成が異なるのみである。
【０１３６】
このため、第１実施形態と同様の構成には、同一符号を付して説明を省略し、第１実施形態とは異なる状態検出センサーの構成を中心に説明する。
〈操作受付部について〉
ここで、図１３は、本実施形態における状態検出センサーを中心とした操作受付部１１の構成を示した説明図である。
【０１３７】
本実施形態の状態検出センサー２１２は、本体部１９に形成された窪み２１９Ａ内に突出した端子２１２Ａ，２１２Ｂと、両端子２１２Ａ，２１２Ｂに接触するように窪み２１９Ａ内に配置された状態変化物質２１２Ｅとからなる。
【０１３８】
そして、状態変化物質２１２Ｅは、詳細な説明は省略するが、導電性を有し、かつ大気に触れると蒸発する蒸発導電性物からなり、接続線１２Ｃとして機能するように構成されている。
【０１３９】
［第３実施形態の効果］
このような状態変化物質２１２Ｅ（即ち、蒸発導電性物）を接続線１２Ｃとして用いれば、窪み２１９Ａに配置する蒸発導電性物質の量を増加することで、端子２１２Ａ，２１２Ｂ間を通電可能な時間を長くすることができる。すなわち、このように構成された状態検出センサー２１２を備えたＩＣタグユニットでは、特定操作（ここでは、剥離部１６を本体部１９から剥離すること）が加えられた後、端子２１２Ａ，２１２Ｂ間を通電不可能となるまでに時間を要する。換言すれば、このようなＩＣタグユニットによれば、特定操作が加えられてから、記憶部２４にデータの書き込みが不可能となるまでにタイムラグを設けることができる。
【０１４０】
［第３実施形態の変形例］
以上、本発明の第３実施形態について説明したが、本発明は上記実施形態に限定されるものではなく、本発明の要旨を逸脱しない範囲において、様々な態様にて実施することが可能である。
【０１４１】
例えば、上記実施形態における接続線１２Ｃは、剥離部１６が剥離されると、端子１２Ａ，Ｂ（または、２１２Ａ，Ｂ）間が通電されないように構成されていたが、接続線１２Ｃは、剥離部１６が剥離されると抵抗が変化するように構成されていても良い。すなわち、状態検出センサー１２（２１２）は、接続線１２Ｃの抵抗値が、予め規定された抵抗値から設定限度以上変化した場合、剥離部１６が本体部１９から剥離されたものと処理部２５が判断するように構成されていても良い。
【０１４２】
この場合、接続線１２Ｃとして、本体部１９に形成された窪み２１９Ａ内に配置された状態変化物質２１２Ｅが用いられている必要がある。しかも、その状態変化物質２１２Ｅとしては、それぞれ導電性を有し、かつ、大気中の水分に触れると抵抗が変化する吸湿抵抗変化物（塩化カリウムや塩化マグネシウム）や、大気中の酸素に触れると抵抗が変化する酸化抵抗変化物のうち、一方が用いられている必要がある。
【０１４３】
［第４実施形態］
次に、本発明の第４実施形態として、第３実施形態における情報処理システム１を用いて構成した対象物品管理システムについて説明する。
【０１４４】
ここで、図１４は、本実施形態の対象物品管理システムの概略構成を示したブロック図である。
〈対象物品管理システムについて〉
この対象物品管理システム８０は、外部から入力された印刷データに基づいて、記録媒体（例えば、原稿）に画像を形成する画像形成装置において、その画像形成装置に用いられる消耗部品の交換時期等を管理するためのものである。
【０１４５】
このため、対象物品管理システム８０は、画像形成装置を構成する特定の部品それぞれに取り付けられるＩＣタグユニット２１０と、ＩＣタグユニット２１０に物品情報を書き込むと共に、その書き込まれている物品情報を取得するリーダライタ装置８３と、リーダライタ装置８３にて取得した情報に基づいて、交換時期等を管理する情報処理装置８２とを備えている。
【０１４６】
このうち、ＩＣタグユニット２１０及びリーダライタ装置８３は、第３実施形態にて説明したものと同一であるため、これらのＩＣタグユニット２１０及びリーダライタ装置８３を構成する各部には、第３実施形態におけるＩＣタグユニット及びリーダライタ装置を構成する各部と同一の符合を付して、ここでの説明は省略する。
【０１４７】
なお、本実施形態においては、対象物品管理システム７０を構成するリーダライタ装置８３、及び情報処理装置８２は、画像形成装置内に組み込まれている。
そして、リーダライタ装置８３及び情報処理装置８２が組み込まれる画像形成装置は、感光ドラム上に静電潜像を形成するスキャナユニットと、画像形成プロセスを実行するためのプロセスカートリッジと、記録媒体に画像を定着させる定着ユニット等とを備えた、周知のレーザプリンタとして構成されている。
【０１４８】
このうち、プロセスカートリッジは、画像形成プロセスとして、帯電，現像，転写，クリーニング（感光体のクリーニング）を行うための構成を備えたカートリッジであり、画像形成装置本体に対し着脱可能に装着されている。このプロセスカートリッジは、ドラムカートリッジと、このドラムカートリッジに着脱可能に装着される現像装置である現像カートリッジとから構成されている。
【０１４９】
すなわち、ドラムカートリッジは、感光ドラム、帯電器、転写ローラ等を内蔵するものであり、現像カートリッジは、非磁性の現像剤であるトナーを収納するものである。なお、これらのドラムカートリッジや現像カートリッジは、周知のように、記録媒体に画像を形成した回数や、時間の経過によって、品質が劣化する。つまり、これらのカートリッジは、適切なタイミングで交換することが求められる消耗部品である。
〈情報処理装置について〉
次に、情報処理装置８２について説明する。
【０１５０】
この情報処理装置８２は、ＲＯＭ，ＲＡＭ，ＣＰＵを少なくとも有した周知のマイクロコンピュータ８２Ａを中心に構成され、補助記憶装置（例えば、ＨＤＤ），操作部８２Ｂ，及び報知部８２Ｃを備えている。
【０１５１】
このうち、操作部８２Ｂは、外部からの操作に従って情報の入力を受け付けるものである。また、報知部８２Ｃは、マイクロコンピュータ８２Ａからの信号に従って画像を表示する表示部と、マイクロコンピュータ８２Ａからの信号に従って音声を出力する音声出力部とを備えている。
【０１５２】
そして、本実施形態において、情報処理装置８２を構成するマイクロコンピュータ８２Ａは、対象物品が真正品であるか否か、その対象物品の品質保証期間内であるか否かを管理する部分品管理処理を実行する。
【０１５３】
なお、本実施形態においては、ドラムカートリッジや現像カートリッジには、ＩＣタグユニット２１０が取り付けられた状態で出荷される。すなわち、ＩＣタグユニット２１０は、対象物品としてのドラムカートリッジや現像カートリッジに取り付けて使用される。以下、ＩＣタグユニット２１０が取り付けられたカートリッジを当該カートリッジと称す。
【０１５４】
そして、画像形成装置の利用者は、ＩＣタグユニット２１０の剥離部１６を本体部１９から剥離し、その剥離部１６が剥離されたＩＣタグユニット２１０が取り付けられたカートリッジを画像形成装置に装着する。
【０１５５】
このとき、リーダライタ装置８３にライト処理を実行させて、物品情報をＩＣタグ２０の記憶部２４に記憶させる。
そして、本実施形態において、ＩＣタグ２０の記憶部２４に記憶される物品情報には、当該カートリッジが装着される画像形成装置を識別するための識別コードと、当該カートリッジを画像形成装置に装着した日時（ここでは、年月日とする）である装着日時とを、少なくとも含んでいる。なお、識別コードは、画像形成装置毎に予め規定された範囲内の文字列（数字列）からなり、情報処理装置３５の記憶装置に格納されている。
【０１５６】
ここで、図１５は、部分品管理処理の処理手順を示したフローチャートである。
この部分品管理処理は、情報処理装置３５が起動されると（本実施形態では、画像形成装置が起動されると）、情報処理装置３５のマイクロコンピュータ８２Ａによって実行されるものである。
【０１５７】
そして、部分品管理処理は、起動されると、まず、Ｓ９０５にて、リーダライタ装置８３から物品情報が入力されたか否かを判断する。その判断の結果、物品情報が入力されていなければ、Ｓ９１０へと進む。
【０１５８】
そのＳ９１０では、物品情報が前回入力されてから、もしくは部分品管理処理が起動されてからの経過時間（以下、第１経過時間と称す）が、予め規定された所定時間（即ち、時間長）以上であるか否かを判断する。その判断の結果、第１経過時間が所定時間未満であれば、Ｓ９０５へと戻る。一方、Ｓ９１０での判断の結果、第１経過時間が所定時間以上であれば、ドラムカートリッジや現像カートリッジに、ＩＣタグユニット２１０が取り付けられていない、即ち、カートリッジが不正品であるものと判断して、Ｓ９１５へと進む。
【０１５９】
そのＳ９１５では、不正品の使用中止を促す旨を報知させるための信号を報知部８２Ｃに出力する。すると、音声出力部は、不正品の使用中止を促す旨を音声にて出力し、表示部は、不正品の使用中止を促す旨の画像を表示する。そして、その後、Ｓ９０５へと戻る。
【０１６０】
ところで、Ｓ９０５にて、物品情報が入力されると、即ち、当該カートリッジそれぞれから物品情報が取得されると、Ｓ９２０へと進む。
続くＳ９２０では、Ｓ９０５にてリーダライタ装置８３から入力された物品情報中の識別コード（以下、今取得コードと称す）を、登録済コードに照合する。ただし、ここで言う登録済コードとは、予め画像形成装置に記憶されている識別コードである。
【０１６１】
そして、Ｓ９３０では、Ｓ９２０にて照合した結果、今取得コードと登録済コードとが一致したか否かを判断する。その判断の結果、今取得コードが登録済コードに一致すれば、Ｓ９５０へと進む。
【０１６２】
そのＳ９５０では、当該カートリッジが画像形成装置に装着されてからの経過時間（以下、第２経過時間と称す）が、予め規定された使用限界期限内であるか否かを判断する。ここで言う、使用限界期限とは、当該カートリッジが画像形成装置に装着されてから、その当該カートリッジの品質を保証可能な期間の時間長である。
【０１６３】
また、第２経過時間が使用限界期限内であるか否かを判断する具体的な方法としては、現時点での日時から、物品情報中に含まれている装着日時を引いた時間長（即ち、差）が、使用限界期限よりも小さければ、第２経過時間が使用限界期限内であるものとすることが考えられる。
【０１６４】
そのＳ９５０での判断の結果、第２経過時間が使用限界期限内であれば、Ｓ９０５へと戻る。そして、新たな物品情報が入力されるまで待機する。これは、当該カートリッジが真正品であり、現時点においては、当該カートリッジの品質を保証可能であるものとして、その当該カートリッジの使用継続に不都合がないためである。
【０１６５】
一方、Ｓ９５０での判断の結果、第２経過時間が使用限界期限を超えていれば、Ｓ９６０へと進む。このような場合、当該カートリッジは真正品であるものの、当該カートリッジの品質を保証できないもの、または一度使用済みとなった現像カートリッジに現像材（トナー）のみを再度詰め直した再生品であるものと判断できるためである。
【０１６６】
なお、Ｓ９３０での判断の結果、今取得コードが登録済コードに一致していない場合、即ち、現在使用されているカートリッジが不正品であるものと判断して、Ｓ９６０へ進む。ここでいう不正品とは、ＩＣタグユニット２１０とは異なるＩＣタグ（例えば、記憶部２４に識別コードが記憶されていないＩＣタグ）が取り付けられたカートリッジや、再生品を表す。
【０１６７】
そのＳ９６０では、当該カートリッジを真正品であり、かつ品質が保証されたもの（以下、新カートリッジと称す）に交換すべき旨を報知させるための信号を報知部８２Ｃに出力する。すると、音声出力部は、当該カートリッジを新カートリッジに交換すべき旨を音声にて出力し、表示部は、当該カートリッジを新カートリッジに交換すべき旨の画像を表示する。そして、その後、Ｓ９０５へと戻り、新たな物品情報が入力されるまで待機する。
【０１６８】
つまり、本実施形態の部分品管理処理では、物品情報を取得可能であるか否か、または物品情報中に識別データが含まれているか否かに基づいて、当該カートリッジが真正品であるか否かを管理する。これと共に、本実施形態の部分品管理処理では、物品情報中に含まれている装着日時に基づいて、部分品の品質を保証可能か否かを管理している。
［第４実施形態の効果］
以上説明したように、本実施形態の対象物品管理システム８０では、カートリッジを画像形成装置に装着した際にＩＣタグ２０に書き込まれる物品情報が、画像形成装置の使用時などに不正に書き換えられること防止できる。
【０１６９】
特に、本実施形態における部分品管理処理によれば、当該カートリッジに不正品が利用されている場合、その不正品の使用中止を促す旨を報知するため、カートリッジに不正品が利用され続けることを低減できる。
【０１７０】
さらに、本実施形態における部分品管理処理によれば、当該カートリッジを画像形成装置に装着してから、その当該カートリッジの品質を保証可能な期限が経過したか否かを判断することができる。そして、本実施形態の部分品管理処理によれば、当該カートリッジの品質を保証可能な期限が経過していれば、当該カートリッジを新品に交換するように促すため、カートリッジの品質を保証可能な状態に保つことが可能となる。
【０１７１】
その結果、画像形成装置による画像形成の品質を保証できる。
さらには、本実施形態では、特定操作を受け付けてから記憶部２４への書き込みが禁止されるまでにタイムラグを有した（即ち、第３実施形態における）ＩＣタグユニット２１０を用いて対象物品管理システム８０を構成しているため、当該カートリッジを画像形成装置に装着した後に、物品情報を記憶部２４に書き込むことができる。
［第４実施形態の変形例］
以上、本発明の第４実施形態について説明したが、本発明は上記実施形態に限定されるものではなく、本発明の要旨を逸脱しない範囲において、様々な態様にて実施することが可能である。
【０１７２】
例えば、上記実施形態における部分品管理処理では、当該カートリッジが不正品である場合、Ｓ９１５にて、不正品の使用中止を促す旨を、Ｓ９６０にて、当該カートリッジを新カートリッジに交換すべき旨を報知していたが、当該カートリッジが不正品である場合、Ｓ９１５やＳ９６０では、画像形成装置の使用を中止する処理を実行しても良い。
【０１７３】
また、上記実施形態における部分品管理処理において、当該カートリッジが再生品である場合、画像形成装置への装着から所定時間を経過した後に、部品交換を実行するように促す旨の報知を実行しても良い。
【０１７４】
ところで、上記実施形態では、画像形成装置のカートリッジを対象物品として、対象物品管理システム８０を構築していたが、対象物品管理システム８０を適用する工業製品は、画像形成装置に限るものではない。例えば、電池ユニット（例えば、ノートパソコンや、デジタルカメラ、デジタルビデオカメラ、電動アシスト自転車、電気自動車などに用いられるもの）を対象物品としても良い。
【０１７５】
さらには、対象物品管理システム８０が対象物品とする工業製品は、複数の部分品を組み合わせて構成される自動車であってもよい。そして、対象物品管理システム８０が自動車に適用される場合、自動車を構成する、または自動車に搭載される多くの部分品（例えば、タイヤや、シート、ナビゲーション装置、バンパー、スポイラーなど、以下、自動車構成部品と称す）それぞれを対象物品としても良い。つまり、対象物品管理システム８０が自動車に適用される場合、自動車構成部品それぞれに、ＩＣタグユニット２１０が取り付けられる。
【０１７６】
なお、この対象物品管理システム８０を適用される自動車は、動力発生源として、内燃機関（ガソリンエンジンやディーゼルエンジン）を搭載したものでも良いし、燃料電池（いわゆる燃料電池車）及びモータ（いわゆる電気自動車）を搭載したものでも良いし、内燃機関とモータとの両方を搭載したもの（いわゆるハイブリッド車）でも良い。
【０１７７】
また、対象物品管理システム８０を自動車に適用する場合、リーダライタ装置８３と情報処理装置８２とは自動車内に組み込まれている必要がある。
そして、このような場合、情報処理装置８２を構成するマイクロコンピュータは、対象物品が真正品（いわゆる純正品）であるか否かを管理する部分品管理処理を実行する必要がある。さらに、部分品管理処理を実行するためには、ＩＣタグ２０の記憶部２４に記憶される物品情報として、自動車を識別するために自動車毎に予め規定された識別コードと、自動車構成部品の使用開始日時とを、少なくとも含んでいる必要がある。
【０１７８】
なお、対象物品管理システム８０を自動車に適用する場合の部分品管理処理は、第４実施形態にて説明した部分品管理処理からＳ９５０を省略することの他は、第４実施形態にて説明した部分品管理処理と同様であればよい。
【０１７９】
以上説明したようにして、対象物品管理システム８０を自動車に適用すると、自動車構成部品が真正品であるか否かを、利用者に報知することができる（例えば、流用品や盗難品は、ＩＣタグユニット２１０が取り付けられていなかったり、識別コードが自車両の識別コードと異なったりするため、不正品として報知される）。このため、本実施形態の部分品管理処理によれば、不正部品が使用されることを低減することができる。
【０１８０】
さらに、このように対象物品管理システム８０を自動車に適用した場合、部分品管理処理では、自動車構成部品の交換時期を、利用者に報知するため、自動車の利用者は、適切なタイミングで自動車構成部品を交換することができ、自動車を適切な状態に維持することができる。特に、タイミングベルトや、エンジンオイルを収納した収納容器にＩＣタグユニット２１０を取り付け、それらの自動車構成部品（即ち、タイミングベルトや、エンジンオイル）を対象部品とすれば、消耗部品の交換時期を、自動車の利用者に認識させることができる。
【０１８１】
また、特定操作を受け付けてから記憶部２４への書き込みが禁止されるまでにタイムラグを有した（即ち、第３実施形態における）ＩＣタグユニット２１０を用いて対象物品管理システム８０を構成すれば、自動車を工場から出荷する際に、剥離部１６を本体部１９から剥離し、その自動車をディーラから利用者に引き渡す際に、記憶部２４に物品情報を記憶することが可能となる。
【０１８２】
以下、上記実施形態１〜４に対する変形例を説明する。
上記実施形態のＩＣタグ２０（より正確には、処理部２５）は、剥離部１６が本体部１９から剥離される（即ち、特定操作を受け付ける）と、記憶部２４へのデータの書き込みが禁止されるように構成されていたが、処理部２５は、特定操作を受け付けると記憶部２４へのデータの書き込みが許可されるように構成されていても良い。
【０１８３】
すなわち、処理部２５は、剥離部１６が本体部１９から剥離されたことが状態検出センサー１２の出力から検出されると、記憶部２４へのデータの書込を許可するフラグを設定し、そのフラグが設定される前は、記憶部２４へのデータの書込を禁止するように構成されていても良い。つまり、ＩＣタグ２０は、状態検出センサー１２の状態が通電状態であれば、記憶部２４へのデータの書き込みが禁止されており、状態検出センサー１２の状態が不通状態へと切り替わったことをトリガーとして、記憶部２４へのデータの書き込みが許可されるものでも良い。
【０１８４】
このように構成されたＩＣタグユニット１０によれば、剥離部１６が本体部１９から剥離された時点で、記憶部２４にデータが記憶されていないこと、即ち、そのＩＣタグユニット１０が未使用品であることを保証できる。
［実施形態と特許請求の範囲との対応関係］
最後に、上記実施形態１〜４の記載と、特許請求の範囲の記載との関係を説明する。
【０１８５】
上記実施形態におけるＩＣタグ２０の記憶部が、本発明の記憶手段に相当し、ＩＣタグ２０の送受信部が本発明の送受信手段に相当し、ＩＣタグユニット１０の状態検出センサー１２が本発明の状態検出手段に相当する。上記実施形態におけるＩＣタグ２０の処理部が、本発明の書込実行手段、書込制御手段に相当する。
【０１８６】
そして、上記実施形態における情報処理装置３５が、本発明の状態管理手段、及び報知手段に相当する。
［第５実施形態］
次に、本発明の第５実施形態について説明する。
＜配達記録管理システムの構成＞
本実施形態の配達記録管理システム３０１の概略構成図を図１６に示す。配達記録管理システム３０１は、郵便物，小包，貨物、書留等の物流対象物３０２に関する流通経路の記録を行うものであって、配達業者などによって使用されるシステムである。
【０１８７】
この配達記録管理システム３０１は、物流対象物３０２に取り付けて用いられるＩＣタグユニット３１０と、物流対象物３０２の流通過程における様々な場所に配置されるライト装置３２０と、配達業者の事務所などに配置されるリーダ装置３３０と、リーダ装置３３０と通信可能なサーバ３４０と、を備えている。
【０１８８】
本実施例のＩＣタグユニット３１０は、図１７に示すように、配達伝票として住所等の情報を記載する記載欄３１５を有するシート形状であって、貼付部３１１と、剥離部３１２と、が切取線３１３を介して繋がってなるものである。この切取線３１３は、貼付部３１１と剥離部３１２とを分離しやすくするためのものであり、例えばミシン目によってなるものである。
【０１８９】
貼付部３１１の裏面３１１Ａ（図１７に示す記載欄３１５が備えられた面の裏面）は、接着剤等により物流対象物３０２に貼り付けられる。一方、剥離部３１２の裏面３１２Ａは、ＩＣタグユニット３１０の隅の一部分（角部３１４）のみが物流対象物３０２に接着されており、物流対象物３０２から容易に剥離可能となっている。
【０１９０】
また、剥離部３１２の裏面３１２Ａ（または剥離部３１２内部）にはＩＣタグ２０Ａが配置されている。
このＩＣタグ２０Ａは、図１８に示すように、送受信アンテナ２１Ａを介してライト装置３２０，リーダ装置３３０との間で信号（電磁波）を送受信する送受信部２２Ａと、送受信部２２Ａにて受信した信号に従って起電力を発生して、ＩＣタグ２０Ａを構成する各部に対して電源を供給する電源部２３Ａとを備えている。さらに、ＩＣタグ２０Ａは、物品情報（物流対象物３０２の配達に関する情報であって、詳細は後述する）を記憶する記憶部２４Ａと、ライト装置３２０，リーダ装置３３０からの動作指令に従って、ＩＣタグ２０Ａを構成する各部２２Ａ，２３Ａ，２４Ａを制御する処理部２５Ａとを備えている。
【０１９１】
このうち、記憶部２４Ａは、電源供給が遮断されても記憶内容を保持すると共に、記憶内容を書き換え可能な不揮発性のメモリ（例えば、ＥＥＰＲＯＭなど）からなる。
また、処理部２５Ａは、少なくともＣＰＵを有したマイクロコンピュータを中心に構成されている。
【０１９２】
さらに、この処理部２５Ａは状態検出配線２６（箔配線）の両端が接続されている。この状態検出配線２６は、処理部２５Ａの回路の一部を構成している。そして、この状態検出配線２６が通電可能な状態では、ライト装置３２０からの書込指令に応じて記憶部２４Ａに対して物品情報を書き込むことができるが、状態検出配線２６が切断されると処理部２５Ａの一部が破壊され、記憶部２４Ａに対して物品情報の書き込みができなくなる。
【０１９３】
この状態検出配線２６は、図１７に示すように、貼付部３１１及び剥離部３１２の裏面にて切取線３１３をまたぐように配置されている。
ここで、剥離部３１２が貼付部３１１と繋がっている場合には、状態検出配線２６が通電可能であるため、ＩＣタグ２０Ａへの物品情報の書き込みが可能である。一方、剥離部３１２を貼付部３１１から分離させた状態では、状態検出配線２６が断線するため、ＩＣタグ２０Ａへの物品情報の書き込みが不能となる。
【０１９４】
また、図１６に示すライト装置３２０は、無線通信により、少なくともＩＣタグ２０Ａに対する動作指令を送信するものである。
このライト装置３２０は、図１に示すリーダライタ装置３１と同様の構成を有しており、使用者からの情報の入力を受け付ける入力受付部３２０Ａと、入力受付部３２０Ａにて受け付けた情報に従って処理を実行する制御部３２０Ｂとを備えている。なお、ＩＣタグ２０Ａに記憶すべき物品情報は、入力受付部３２０Ａによって受け付けられる。
【０１９５】
その制御部３２０Ｂは、ＣＰＵ、ＲＯＭ、ＲＡＭ等からなるマイクロコンピュータを中心に構成されている。そして、制御部３２０Ｂは、送受信アンテナ３２０Ｃから予め規定された通信距離内（通信可能範囲内）に存在するＩＣタグ２０Ａに物品情報を書き込むための書込指令を送信する後述するライト処理を行う。
【０１９６】
また、図１６に示すリーダ装置３３０は、無線通信により、少なくともＩＣタグ２０Ａに対する動作指令を送信すると共に、ＩＣタグ２０Ａからの物品情報を受信するものである。
【０１９７】
このリーダ装置３３０は、基本的にライト装置３２０と同様の構成であって、入力受付部３３０Ａ，制御部３３０Ｂ，送受信アンテナ３３０Ｃを備えている。制御部３３０Ｂは、送受信アンテナ３３０Ｃから予め規定された通信距離内（通信可能範囲内）に存在するＩＣタグ２０Ａに記憶されている物品情報を取得する後述するリード処理を行う。なお、リード処理により取得した物品情報は、サーバ３４０に送信される。
【０１９８】
また、サーバ３４０は、ＲＯＭ，ＲＡＭ，ＣＰＵを少なくとも有した周知のマイクロコンピュータ３４０Ａ、及び記憶装置３４０Ｂを中心に構成された周知のものである。
そのサーバ３４０の記憶装置３４０Ｂは管理データベースを有している。この管理データベースには、各物流対象物３０２についての物品情報が記憶される。
【０１９９】
なお、本実施形態のライト装置３２０及びリーダ装置３３０は、通信可能範囲内に複数の通信対象（具体的にはＩＣタグユニット３１０）が存在していても各通信対象と通信可能な機能（アンチコリジョン機能）を有している。
＜配達記録管理システムの運用＞
配達記録管理システム３０１の運用を、図１９のフローチャートに基づいて説明する。本実施例の配達記録管理システム３０１は、荷受け時，配送過程，荷渡し時に物品情報をＩＣタグ２０Ａに書き込む（ライト装置３２０を用いて、ライト処理による書き込みを行う）ものである。
【０２００】
まずステップ１（以降、ステップをＳと記載する）として、所定の記録タイミングとなったときに、ＩＣタグ２０Ａに物品情報の書き込みを行う。続くＳ２にて、Ｓ１での書き込みが最終書き込みであるか否かを判断し、最終書き込みでなければＳ１に戻る。一方、最終書き込みであれば、Ｓ３に移行する。
【０２０１】
上記Ｓ１，Ｓ２の具体例を挙げる。まず、Ｓ１として、配達業者が物流対象物３０２の荷受け時（最初の記録タイミング）に、ライト装置３２０を用いて、物品情報として荷元，荷受け日時，荷受け場所，物流対象物の種類，の各情報をＩＣタグ２０Ａに書き込む。ここでの書き込みは最終書き込みではないため、Ｓ２はＮＯとなり、次の記録タイミングで再度Ｓ１を実行することとなる。
【０２０２】
次に、二度目のＳ１として、物流対象物３０２を集積する集積センターなどの配送過程（次の記録タイミング）で、ライト装置３２０を用い、物品情報として、運搬に使用する車両（または航空機，船舶，鉄道），運搬人，現在の場所（流通経路），現在日時（流通時刻）の各情報をＩＣタグ２０Ａに書き込む。ここでの書き込みも最終書き込みではないため、Ｓ２はＮＯとなる。
【０２０３】
次に、三度目のＳ１として、荷渡し前（最後の記録タイミング）に、ライト装置３２０を用い、物品情報として、荷渡し日時，荷渡し場所，荷渡し担当者の各情報をＩＣタグ２０Ａに書き込む。
【０２０４】
上記書き込みは最終書き込みであるため、次にＳ３の状態変化作業に移る。本実施例では、剥離部３１２を剥離する作業を行う。これにより、状態検出配線２６が断線し、以降ＩＣタグ２０Ａへの書き込みが不能となる。この作業の後、物流対象物３０２を送り先に渡す。
【０２０５】
次に、Ｓ４として、状態変化作業を終了したＩＣタグ２０Ａの管理を行う。本実施例では、配達業者の事務所などに持ち帰ったＩＣタグ２０Ａの情報をリーダ装置３３０にて読み取り（リード処理による読み取りを行い）、サーバ３４０の管理データベースに記憶する。
＜ライト装置による処理＞
ライト装置３２０によって実行されるライト処理の処理手順を、図２０に示すフローチャートに基づいて説明する。
【０２０６】
このライト処理は、まず、Ｓ５１０において、ＩＣタグ２０Ａに記憶すべき物品情報が、入力受付部３２０Ａを介して入力されたか否かを判断する。その判断の結果、物品情報がライト装置３２０に入力されていれば、Ｓ５２０へと進む。
【０２０７】
そのＳ５２０では、Ｓ５１０にて入力受付部３２０Ａを介して入力された物品情報、及び書込指令を、送受信アンテナ３２０Ｃを介してＩＣタグ２０Ａに出力する。
続くＳ５３０では、本ライト処理を終了するための終了指令が、入力受付部３２０Ａを介して入力されたか否かを判断する。その判断の結果、終了指令が入力されていなければ、Ｓ５１０へと戻り、終了指令が入力されていれば、本ライト処理を終了する。
＜リーダ装置による処理＞
リーダ装置３３０によって実行されるリード処理の処理手順を、図２１に示すフローチャートに基づいて説明する。
【０２０８】
このリード処理は、起動されると、図２１に示すように、Ｓ５４０にて、送受信アンテナ３３０Ｃを介して読出指令をＩＣタグ２０Ａに送信する。
続くＳ５５０にて、ＩＣタグ２０Ａからの返信される物品情報を、送受信アンテナ３３０Ｃを介して取得したか否かを判断する。その判断の結果、物品情報を取得していなければ、当該リーダ装置３３０の通信範囲内にＩＣタグ２０Ａが存在しないか、あるいは存在していても物品情報を返信してこないものと判断して、Ｓ５４０へと戻り、読出指令を再度送信する。
【０２０９】
一方、物品情報を取得していれば、即ち、当該リーダ装置３３０の通信範囲内にＩＣタグ２０Ａが存在し、そのＩＣタグ２０Ａが物品情報を返信していれば、Ｓ５６０へと進む。そのＳ５６０では、ＩＣタグ２０Ａから送信された物品情報を、サーバ３４０に出力する。その後、リード処理を終了する。
＜ＩＣタグによる処理＞
ＩＣタグ２０Ａの処理部２５Ａによって実行されるＩＣタグ制御処理の処理手順を、図２２に示すフローチャートに基づいて説明する。
【０２１０】
処理部２５Ａは、ライト装置３２０またはリーダ装置３３０からの信号（より正確には、動作指令）を送受信部２２Ａが受信した際に、電源部２３Ａから電源供給が開始されて起動されるものである。
【０２１１】
この処理部２５Ａの動作は、図２２に示すように、まず、書込禁止フラグが設定済みであるか否かを判断する（Ｓ６１０）。
そのＳ６１０での判断の結果、書込禁止フラグが設定済みでなければ、Ｓ６２０へと進み、状態変化作業済みであるか否かを判断する。本実施例における状態変化作業とは、上記剥離部３１２を貼付部３１１から分離する作業である。上述したように、剥離部３１２を貼付部３１１から分離すると、処理部２５Ａの回路の一部が断線するため、ＩＣタグ２０Ａのハード構成上、物品情報の書き込みが不能となる。
【０２１２】
このＳ６２０では、状態検出配線２６が通電可能であれば上記作業は行われていないと判断し、状態検出配線２６が通電可能でなければ上記作業が既に行われていると判断する。
【０２１３】
そして、Ｓ６２０での判断の結果、状態変化作業済みであれば、書込禁止フラグを設定して（Ｓ６３０）、その後、Ｓ６４０へと進む。
つまり、状態検出配線２６が断線された後、ライト装置３２０またはリーダ装置３３０からの動作指令を最初に受信した際に、書込禁止フラグが設定される。
【０２１４】
なお、この書込禁止フラグは、設定されていれば、状態検出配線２６が断線し記憶部２４Ａへのデータ（物品情報など）の書き込みがハード構成上不能となっていることを表し、設定されていなければ、記憶部２４Ａへのデータの書き込みがハード構成上可能であることを表すものである。
【０２１５】
また、書き込み禁止フラグが設定されている状態では、物品情報の書き込みのみでなく、制御ソフト，アプリケーションソフトの書き込みも禁止される。
なお、Ｓ６１０での判断の結果、書込禁止フラグが設定済みである場合には、Ｓ６４０へと進む。また、Ｓ６２０での判断の結果、状態変化作業が未だ行われていない場合、書込禁止フラグを未設定に維持したまま、Ｓ６４０へと進む。
【０２１６】
続くＳ６４０では、受信した動作指令がライト装置３２０からの書込指令であるか否かを判断する。その判断の結果、動作指令が書込指令であれば、Ｓ６５０にて、書込禁止フラグが設定済みであるか否かを判断する。
【０２１７】
そして、Ｓ６５０での判断の結果、書込禁止フラグが設定済みでなければ、ライト装置３２０から送信された物品情報を記憶部２４Ａに書き込んだ後（Ｓ６６０）、本処理を終了する。その後、次の動作指令が入力されるまで待機する。
【０２１８】
一方、Ｓ６５０での判断の結果、書込禁止フラグが設定済みであれば、ライト装置３２０から送信された物品情報を破棄した上で、本処理を終了する。そして、その後、次の動作指令が入力されるまで待機する。
【０２１９】
ところで、Ｓ６４０での判断の結果、受信した動作指令が書込指令でなければ、Ｓ６７０へと進む。
そのＳ６７０では、動作指令がリーダ装置３３０からの読出指令であるか否かを判断する。この判断の結果、動作指令が読出指令であれば、Ｓ６８０にて、記憶部２４Ａに記憶されている物品情報を読み出す。そして、その記憶部２４Ａから読み出した物品情報を、送受信部２２Ａへと出力する。すると、送受信部２２Ａは、その記憶部２４Ａから読み出した物品情報をリーダ装置３３０へと送信する。その後本処理を終了して、次の動作指令が入力されるまで待機する。
【０２２０】
一方、Ｓ６７０での判断の結果、動作指令が、書込指令又は読出指令以外のもの（例えば、ＩＣタグ２０Ａの動作をテストするためのチェック指令など）であれば、Ｓ６９０へと進む。そのＳ６９０では、動作指令に従った制御（例えば、チェック指令であれば、ＩＣタグ２０Ａが正常に動作するか否かをチェックするチェック動作）を実行する。その後、本処理を終了して、次の動作指令が入力されるまで待機する。
【０２２１】
つまり、ＩＣタグ２０Ａでは、ライト装置３２０またはリーダ装置３３０からの動作指令を受信すると、処理部２５Ａが起動して、その受信した動作指令に従った内容の制御を実行する。そして、処理部２５Ａは、通常、動作指令が読出指令であれば、記憶部２４Ａに記憶されている物品情報をリーダ装置３３０に対して送信する。
【０２２２】
一方、動作指令が書込指令であれば、ライト装置３２０から送信された物品情報を記憶部２４Ａに記憶する。ただし、動作指令が書込指令であっても、書込禁止フラグが設定されていれば、ライト装置３２０から送信された物品情報を記憶することなく、処理部２５Ａの動作を終了する。
［第５実施形態の効果］
以上説明したように、本実施形態の配達記録管理システム３０１では、物流対象物３０２が送り先に渡された以降、即ち、剥離部３１２が貼付部３１１から分離して状態検出配線２６が断線した状態では、ハード構成上、物品情報の書き込みが行えない。よって、仮に制御ソフト上での書き込み禁止を無視する手段を用いても、書き込みは実行できないので、ＩＣタグ２０Ａに書き込まれている物品情報が不正に書き換えられることが抑制できるため、配達記録の情報の信頼性を高めることができる。
【０２２３】
さらに、物品情報がＩＣタグ２０Ａに記憶されるため、記録タイミングとなる場所では、情報を入力する装置（ライト装置３２０）のみ存在すればよい。従来のシステムでは、物流対象物３０２では物品情報を保持できない，または，物品情報を保持できたとしても、その内容が改変される可能性があるため、記録タイミングとなる場所それぞれにおいてＩＣタグ２０Ａの情報（または単に識別情報）を読み込んでオンラインデータベースに照合・登録する必要があり、オンラインデータベースと接続したシステムを記録タイミングとなる場所それぞれに配置する必要があったが、本実施形態ではそのようなシステムが必要なくなるため、利便性が向上する。
［第５実施形態の変形例］
以上、本発明の第５実施形態について説明したが、本発明は上記実施形態に限定されるものではなく、本発明の要旨を逸脱しない範囲において、様々な態様にて実施することが可能である。
【０２２４】
例えば、上記実施形態においては、記録タイミングが、荷受け時，配送過程，荷渡し時，の３点である構成を例示したが、これら以外のタイミングで行ってもよい。
また、上記実施形態においては、接着剤にてＩＣタグユニット３１０を物流対象物３０２に接着させる構成を例示したが、その構成に限定されない。
【０２２５】
例えば、物流対象物３０２として野菜，家畜などの商品を想定する場合、図２３（Ａ）に示すＩＣタグユニット３５０のように構成してもよい。このＩＣタグユニット３５０は、ＩＣタグ２０Ａと同様の構成を有するＩＣタグ２０Ｂを備えており、結束バンド３５１にて物流対象物３０２に取り付けられる構成となっている。
【０２２６】
このＩＣタグユニット３５０は、結束バンド３５１を備える主要部３５２と切り離し部３５３に分かれており、切り離し部３５３を折り曲げて切り離す（状態変化作業を行う）ことで状態検出配線２６Ｂが断線しＩＣタグ２０Ｂへの書き込みが不能となる。また、折り曲げることで書き込みが不能となる旨が示される表示部３５４を備えている。
【０２２７】
なお、上記ＩＣタグユニット３５０では、主要部３５２側にＩＣタグ２０Ｂが配置されているため、商品にＩＣタグ２０Ｂを残しておくことができる。
このＩＣタグユニット３５０を用いる場合、運搬・流通段階では物品情報をＩＣタグ２０Ｂへ書き込むのみであり、物流対象物３０２が最終消費者に渡る段階で、切り離し部３５３を切り離してＩＣタグ２０Ｂを書き込み不能とし、物流対象物３０２とともに消費者に渡す。
【０２２８】
これにより、ＩＣタグ２０Ｂが消費者に渡るため、消費者は、そのＩＣタグ２０Ｂの情報を見て、商品の生産者の情報や、出荷の情報、流通の情報を知ることが可能となり、顧客満足度を向上して商品価値を高めることができる。また、消費者が記憶内容を改変することができないため、ＩＣタグ２０Ｂの情報の信頼性が高まり、無用なトラブルを回避できる。
【０２２９】
なお、消費者によるＩＣタグ２０Ｂの情報の確認は、タグリーダライタの機能を有する携帯電話等により実行させることが考えられる。
なお、切り離し部３５３を切り離した後、所定時間が経過するまで書き込みが可能となるように構成してもよい。所定時間の設定は、空気電池を活用することが考えられる。例えば、切り離し部３５３を切り取ると、空気電池の封が剥がされる構造としておき、空気電池の発電が続く間は、発電による電力で所定の電気回路が維持され、その電気回路が維持される間はＩＣタグ２０Ｂへの書き込みが可能となるように構成するとよい。
【０２３０】
また、上記以外に、ＩＣタグユニットを図２３（Ｂ）のように構成することが考えられる。このＩＣタグユニット３６０は、ＩＣタグ２０Ａと同様の構成を有するＩＣタグ２０Ｃを備える主要部３６１と、主要部３６１から剥離可能なシール状の切り離し部３６２と、からなる。
【０２３１】
このＩＣタグユニット３６０では、主要部３６１の裏面３６１Ａ（図２３（Ｂ）にて表示される側の面３６１Ｂの裏面）が接着面となっており、物流対象物３０２に貼り付けることができる。そして、切り離し部３６２を主要部３６１から剥離する（状態変化作業を行う）と、状態検出配線２６Ｃが断線しＩＣタグ２０Ｃへの書き込みが不能となる。また、図示しないが、切り離し部３６２を剥離した後の面には、書き込みが不能となる旨が示されている。
【０２３２】
このように構成されたＩＣタグユニット３６０を用いる配達記録管理システムでは、上記図２３（Ａ）のＩＣタグユニット３５０と同様の効果を得ることができる。
また、上記以外に、図２３（Ｃ）のように構成することが考えられる。このＩＣタグユニット３７０は、シールが２層化されてなるものであり、物流対象物３０２に貼り付けられるベースシール３７１と、ベースシール３７１の上面に貼り付けられる表面シール３７２と、を備えている。
【０２３３】
ベースシール３７１の接着剤は強力なものであって、一度取り付けたものを剥がすとベースシール３７１が破れるように構成されている。表面シール３７２の粘着材は比較的弱く構成されている。
【０２３４】
ベースシール３７１の下面３７１Ａには、ＩＣタグ２０Ａと同様の構成を有するＩＣタグ２０Ｄが配置されている。また、表面シール３７２を剥がすと、状態検出配線２６Ｄが断線しＩＣタグ２０Ｄへの書き込みが不能となるように構成されている。
【０２３５】
このように構成されたＩＣタグユニット３７０を用いる配達記録管理システムでは、表面シール３７２を剥がした場合のみでなく、ベースシール３７１を剥がそうとした場合にもベースシール３７１が破れて状態検出配線２６Ｄが断線し、ＩＣタグ２０Ｄへの書き込みが不能となる。したがって、貼り変えられたＩＣタグユニット３７０は、ベースシール３７１の破損やＩＣタグ２０Ｄへの書き込みができないことにより貼り変えた事実が容易に判明するため、ＩＣタグユニット３７０を別の物流対象物３０２に貼り変えて偽装することが防止できる。
【０２３６】
ところで、上記実施形態及び変形例においては、状態変化作業を行うとＩＣタグユニットが分離して、ＩＣタグを有するピースとＩＣタグを有さないピース（断線した状態検出配線の一部のみ有するピース）とに分離する構成を例示したが、状態変化作業により、状態検出配線以外の構成要素の一部がＩＣタグの主たる部分と分離するように構成してもよい。例えば、物品情報の書き込みのみに用いるチップがＩＣタグの主たる部分と分離するように構成してもよい。
【０２３７】
また、上記実施形態及び変形例においては、ＩＣタグへの書き込みを防止するためにＩＣタグユニットを分離させる状態変化作業を行った後には、分離した何れか一方にのみＩＣタグが配置される構成を例示したが、両方にＩＣタグが配置されるように構成してもよい。
【０２３８】
例えば、図２４に示すＩＣタグユニット３８０のように構成することが考えられる。このＩＣタグユニット３８０は、物流対象物３０２として、例えばブランド品などの商品を想定している。
【０２３９】
このＩＣタグユニット３８０は、消費者タグ３８１と、販売店タグ３８２と、からなり、それぞれＩＣタグ２０Ｅ，２０Ｆを備えている。それらＩＣタグ２０同士は状態検出配線２６Ｅで接続されており、消費者タグ３８１と販売店タグ３８２とを引き剥がすと、状態検出配線２６Ｅが断線しＩＣタグ２０Ｅ，２０Ｆへの書き込みが不能となるように構成されている。また、消費者タグ３８１と販売店タグ３８２との合わせ面に、この面が見えると書き込みが不能となる旨が示されている。
【０２４０】
このＩＣタグユニット３８０には、製造工場において製造場所、シリアル番号などの情報を記憶させ、流通過程では輸送経路を示す情報を記憶させ、販売店では販売日時、販売店名、購入者名などの情報を記憶する。消費者タグ３８１と販売店タグ３８２とには全く同じ情報が記憶されていてもよいし、一部または全部に異なる情報が記憶されていても良い。
【０２４１】
そして、販売時に消費者タグ３８１と販売店タグ３８２とを引き剥がし、消費者タグ３８１を商品とともに購入者に渡し、販売店タグ３８２は販売店で管理（データベースに登録）する。
【０２４２】
このように構成されたＩＣタグユニット３８０を用いる配達記録管理システムであれば、購入者は、流通経路の情報を記憶する消費者タグ３８１を入手する。この消費者タグ３８１は、ＩＣタグ２０Ｅへの書き込みができない状態となっているため、その情報の信憑性が高まることにより、品質保証機能を高めることができる。
【０２４３】
また、購入者と販売店との両方に、流通経路等の記録されたＩＣタグが渡るため、後の検証に利用することができ都合がよい。
なお、消費者タグ３８１のＩＣタグ２０Ｅと、販売店タグ３８２のＩＣタグ２０Ｆと、を結ぶように状態検出配線２６Ｅが配線される構成を例示したが、それぞれのＩＣタグに異なる状態検出配線が備えられており、消費者タグ３８１と販売店タグ３８２を剥がしたときに、何れの状態検出配線も断線して、何れのＩＣタグにも書き込みができなくなるように構成されていてもよい。
［第６実施形態］
次に、本発明の第６実施形態について説明する。
＜図書管理システムの構成＞
本実施形態の図書管理システム４０１の概略構成図を図２５に示す。
【０２４４】
この図書管理システム４０１は、図書館などで図書の管理をする際に用いられるものであり、図書４０２に取り付けて用いられるＩＣタグユニット４１０と、リーダライタ装置４２０と、リーダライタ装置４２０と通信可能なサーバ４３０と、リーダ装置４４０と、を備えている。
【０２４５】
本実施例のＩＣタグユニット４１０は、図２３（Ｂ）に示すＩＣタグユニット３６０と同様の構成であるため、図２３（Ｂ）に示す符号を用いて説明する。ＩＣタグユニット４１０は、ＩＣタグ２０Ｃを有しており、主要部３６１の表側の面３６１Ｂに図書情報（分類番号、通し番号等）が記載可能に構成されている。ＩＣタグ２０Ｃは、後述するＩＣタグ制御処理を実行する。ＩＣタグ２０Ｃは、図１８に示すように、ＩＣタグ２０Ａと同様の送受信アンテナ２１Ｃ，送受信部２２Ｃ，電源部２３Ｃ，記憶部２４Ｃ，処理部２５Ｃ，状態検出配線２６Ｃを備えている。
【０２４６】
また、図２５に示すリーダライタ装置４２０は、無線通信によりＩＣタグユニット４１０との間でデータを送受信する装置であって、使用者からの情報の入力を受け付ける入力受付部４２０Ａと、入力受付部４２０Ａにて受け付けた情報に従って処理を実行する制御部４２０Ｂとを備えている。
【０２４７】
その制御部４２０Ｂは、ＣＰＵ、ＲＯＭ、ＲＡＭ等からなるマイクロコンピュータを中心に構成されている。そして、制御部４２０Ｂは、送受信アンテナ４２０Ｃから予め規定された通信距離内（通信可能範囲内）に存在するＩＣタグユニット４１０との間で、ＩＣタグユニット４１０が実行すべき動作内容を表す動作指令を少なくとも含む信号を送信する無線通信処理を行う。
【０２４８】
この無線通信処理として、リーダライタ装置４２０は、例えば、図２０に示すライト処理，図２１に示すリード処理，図２６に示す棚卸処理を実行する。
また、図２５に示すリーダ装置４４０は、無線通信によりＩＣタグユニット４１０との間でデータを送受信する装置であって、上述したリーダライタ装置４２０の入力受付部４２０Ａ，制御部４２０Ｂ，送受信アンテナ４２０Ｃと同様の機能を有する入力受付部４４０Ａ，制御部４４０Ｂ，送受信アンテナ４４０Ｃを有している。更に制御部４４０Ｂからの指令に基づいて情報を表示する表示画面４４１を有している。このリーダ装置４４０は、例えば、図２６に示す検索処理を実行する。
【０２４９】
また、サーバ４３０は、ＲＯＭ，ＲＡＭ，ＣＰＵを少なくとも有した周知のマイクロコンピュータ４３０Ａ、及び記憶装置４３０Ｂを中心に構成された周知のものである。
そのサーバ４３０の記憶装置４３０Ｂは、図書管理データベースを有している。この図書管理データベースには、図書４０２についての物品情報が記憶される。本実施例における物品情報とは、図書４０２の個体を識別する識別情報，分類情報，書名，著者名，概要である。また、この図書管理データベースは、書架と、その書架に配置される図書４０２の識別情報を関連付けて記憶している。
【０２５０】
なお、本実施形態のリーダライタ装置４２０及びリーダ装置４４０は、通信可能範囲内に複数の通信対象（具体的にはＩＣタグユニット４１０）が存在していても各通信対象と通信可能な機能（アンチコリジョン機能）を有している。
＜図書管理システムの運用＞
（１）ＩＣタグユニットの図書への取り付け
ＩＣタグユニット４１０の図書４０２への取り付けの流れを、図１９のフローチャートに基づいて説明する。
【０２５１】
まずＳ１として、所定の記録タイミングとなったときに、ＩＣタグユニット４１０のＩＣタグ２０Ｃに物品情報の書き込み（リーダライタ装置４２０によるライト処理）を行う。続くＳ２にて、Ｓ１での書き込みが最終書き込みであるか否かを判断し、最終書き込みでなければＳ１に戻る。一方、最終書き込みであれば、Ｓ３に移行する。
【０２５２】
本実施例における所定の記録タイミングとは、図書４０２の形式的な分類（識別情報，分類情報，書名，著者名）を記録するタイミング，専門的な情報（概要）を記録するタイミングなどがある。
【０２５３】
例えば、Ｓ１として、司書が図書４０２の形式的な分類を示す情報をＩＣタグ２０Ｃに書き込む。ここでの書き込みは最終書き込みではないため、Ｓ２はＮＯとなり、次の記録タイミングで再度Ｓ１を実行することとなる。
【０２５４】
次に、二度目のＳ１として、当該図書の概要情報を専門司書がＩＣタグ２０Ｃに書き込む。上記書き込みは最終書き込みであるため、次にＳ３の状態変化作業に移る。本実施例では、図２３（Ｂ）に示す切り離し部３６２を主要部３６１から切り離す作業を行う。これにより、状態検出配線２６Ｃが断線し、以降、ＩＣタグ２０Ｃへの書き込みが不能となる。
【０２５５】
次に、Ｓ４として、状態変化作業を終了したＩＣタグ２０Ｃの管理を行う。本実施例では、ＩＣタグ２０Ｃの情報をリーダライタ装置４２０にて読み取り（リーダライタ装置４２０によるリード処理）、サーバ４３０の図書管理データベースに記憶する。
【０２５６】
その後、図書４０２を所定の書架に配置する。なお、ＩＣタグユニット４１０の図書４０２への取り付けはどのタイミングで行ってもよい。
（２）蔵書棚卸時の運用
図書館の蔵書棚卸時（蔵書が正しく存在するか否かのチェック時）の運用を説明する。
【０２５７】
リーダライタ装置４２０を用い、所定範囲（例えば１つの書架）に存在する図書４０２に取り付けられた全てのＩＣタグユニット４１０から物品情報を取得する。ここでのリーダライタ装置４２０の具体的な処理は、後述する棚卸処理にて説明する。
【０２５８】
次に、取得した物品情報と、サーバ４３０に記憶された図書管理データベースの情報とを比較し、当該書架に配置される図書４０２の一致、不一致をチェックする。
その後、他の書架に収納すべき図書４０２を移動し、不足している図書４０２を調査対象として決定する。なお、ここで言う物品情報には図書４０２の識別情報が含まれており、図書管理データベースと照合することで当該図書４０２の配置されるべき書架（位置）が分かる。即ち、識別情報は、位置を示す情報でもある。
（３）図書館利用時の運用
図書館を利用する利用者の運用を説明する。
【０２５９】
リーダ装置４４０に、分類情報，キーワードなどの検索情報を入力する。次に、リーダ装置４４０を用いて、所定範囲（例えば１つの書架）に存在する図書４０２に取り付けられた全ての、あるいは一部のＩＣタグユニット４１０から物品情報を取得する。
【０２６０】
リーダ装置４４０は、分類情報に一致する図書４０２や、書名，著者名，及び概要に入力したキーワードが含まれる図書４０２を抽出してリーダ装置４４０の表示画面４４１に出力する。ここでのリーダ装置４４０の具体的な処理は、後述する検索処理にて説明する。
【０２６１】
また、一つの図書４０２に対してＩＣタグユニット４１０から情報を読み出すと、ＩＣタグ２０Ｃに記憶された情報のうち、閲覧が許可されている情報が表示画面４４１に出力される。
＜リーダライタ装置による処理＞
リーダライタ装置４２０によって実行されるライト処理の処理手順を、図２０に示すフローチャートに基づいて説明する。
【０２６２】
このライト処理は、まず、Ｓ５１０において、ＩＣタグ２０Ｃに記憶すべき物品情報が、入力受付部４２０Ａを介して入力されたか否かを判断する。その判断の結果、物品情報がリーダライタ装置４２０に入力されていれば、Ｓ５２０へと進む。
【０２６３】
そのＳ５２０では、Ｓ５１０にて入力受付部４２０Ａを介して入力された物品情報、及び書込指令を、送受信アンテナ４２０Ｃを介してＩＣタグ２０Ｃに出力する。
続くＳ５３０では、本ライト処理を終了するための終了指令が、入力受付部４２０Ａを介して入力されたか否かを判断する。その判断の結果、終了指令が入力されていなければ、Ｓ５１０へと戻り、終了指令が入力されていれば、本ライト処理を終了する。
【０２６４】
次に、リーダライタ装置４２０によって実行されるリード処理の処理手順を、図２１に示すフローチャートに基づいて説明する。
このリード処理は、起動されると、図２１に示すように、Ｓ５４０にて、送受信アンテナ４２０Ｃを介して読出指令をＩＣタグ２０Ｃに送信する。
【０２６５】
続くＳ５５０にて、ＩＣタグ２０Ｃからの返信される物品情報を、送受信アンテナ４２０Ｃを介して取得したか否かを判断する。その判断の結果、物品情報を取得していなければ、当該リーダライタ装置４２０の通信範囲内にＩＣタグ２０Ｃが存在しないか、あるいは存在していても物品情報を返信してこないものと判断して、Ｓ５４０へと戻り、読出指令を再度送信する。
【０２６６】
一方、物品情報を取得していれば、即ち、当該リーダライタ装置４２０の通信範囲内にＩＣタグ２０Ｃが存在し、そのＩＣタグ２０Ｃが物品情報を返信していれば、Ｓ５６０へと進む。そのＳ５６０では、ＩＣタグ２０Ｃから送信された物品情報を、サーバ４３０に出力する。その後、リード処理を終了する。
【０２６７】
次に、リーダライタ装置４２０によって実行される棚卸処理の処理手順を、図２６に示すフローチャートに基づいて説明する。
この棚卸処理は、リーダライタ装置４２０の入力受付部４２０Ａに棚卸を行う旨の入力がなされた際に開始する。本処理では、まずＳ５６５として、情報受け付けを行う。具体的には、入力受付部４２０Ａにより入力される、棚卸を行う書架の識別番号を受け付ける。
【０２６８】
続くＳ５７０，Ｓ５７５の処理は、図２１において説明したＳ５４０，Ｓ５５０の処理と同様である。なお、Ｓ５７５にて物品情報を取得していれば、即ち、当該リーダ装置４４０の通信範囲内にＩＣタグ２０Ｃが存在し、そのＩＣタグ２０Ｃが物品情報を返信してきていれば、Ｓ５８０へと進む。
【０２６９】
続くＳ５８０にて、入力受付部４２０Ａに、読み込み終了の操作が入力されているか否かを判断する。上記操作が入力されていなければ、処理がＳ５７０に戻る。一方、上記操作が入力されていれば、Ｓ５８５へと進む。
【０２７０】
続くＳ５８５では、物品情報出力を行う。具体的には、読み込み終了の操作が入力されるまでに取得した物品情報をサーバ４３０に出力する。その後、本処理を終了する。なお、この後サーバ４３０では、図書管理データベースを参照して、棚卸を行った書架に配置されている図書４０２の物品情報と照合し、書架に配置すべき図書と一致しない図書、不足する図書の情報をディスプレイ等に出力する。
＜リーダ装置による処理＞
リーダ装置４４０によって実行される検索処理の処理手順を、図２６に示すフローチャートに基づいて説明する。
【０２７１】
この検索処理は、入力受付部４４０Ａに検索を行う旨の入力がなされた際に開始する。本処理では、まずＳ５６５として、情報受け付けを行う。具体的には、入力受付部４４０Ａにより入力される検索情報を受け付ける。
【０２７２】
続くＳ５７０，Ｓ５７５の処理は、図２１において説明したＳ５４０，Ｓ５５０の処理と同様である。なお、Ｓ５７５にて物品情報を取得していれば、即ち、当該リーダ装置４４０の通信範囲内にＩＣタグ２０Ｃが存在し、そのＩＣタグ２０Ｃが物品情報を返信してきていれば、Ｓ５８０へと進む。
【０２７３】
続くＳ５８０にて、入力受付部４４０Ａに、読み込み終了の操作が入力されているか否かを判断する。上記操作が入力されていなければ、処理がＳ５７０に戻る。一方、上記操作が入力されていれば、Ｓ５８５へと進む。
【０２７４】
続くＳ５８５では、物品情報出力を行う。具体的には、取得した物品情報に基づき、検索情報と一致する物品情報を有する図書４０２の書名等を表示画面４４１に出力する。その後、本処理を終了する。
＜ＩＣタグによる処理＞
ＩＣタグ２０Ｃによって実行されるＩＣタグ制御処理の処理手順を、図２２に示すフローチャートに基づいて説明する。ＩＣタグ２０Ｃが備える処理部２５Ｃは、リーダライタ装置４２０またはリーダ装置４４０からの信号（より正確には、動作指令）を送受信部２２Ｃが受信した際に、電源部２３Ｃから電源供給が開始されて起動されるものである。
【０２７５】
このＩＣタグ２０Ｃの処理部は、図２２に示すように、まず、書込禁止フラグが設定済みであるか否かを判断する（Ｓ６１０）。
そのＳ６１０での判断の結果、書込禁止フラグが設定済みでなければ、Ｓ６２０へと進み、状態変化作業済みであるか否かを判断する。本実施例における状態変化作業とは、ＩＣタグ２０Ｃにおける主要部３６１から切り離し部３６２を切り離す作業である。上述したように、主要部３６１から切り離し部３６２を切り離すと、状態検出配線２６Ｃが断線し、即ち処理部の回路の一部が断線するため、ＩＣタグ２０Ｃのハード構成上、物品情報の書き込みが不能となる。
【０２７６】
このＳ６２０では、状態検出配線２６Ｃが通電可能であれば上記作業は行われていないと判断し、状態検出配線２６Ｃが通電可能でなければ上記作業が既に行われていると判断する。
【０２７７】
そして、Ｓ６２０での判断の結果、状態変化作業済みであれば、書込禁止フラグを設定して（Ｓ６３０）、その後、Ｓ６４０へと進む。
つまり、状態検出配線２６Ｃが断線された後、リーダライタ装置４２０またはリーダ装置４４０からの動作指令を最初に受信した際に、書込禁止フラグが設定される。
【０２７８】
なお、この書込禁止フラグは、設定されていれば、状態検出配線２６Ｃが断線し、記憶部２４Ｃへのデータ（物品情報など）の書き込みがハード構成上不能となっていることを表し、設定されていなければ、記憶部２４Ｃへのデータの書き込みがハード構成上可能であることを表すものである。
【０２７９】
また、書き込み禁止フラグが設定されている状態では、物品情報の書き込みのみでなく、制御ソフト，アプリケーションソフトの書き込みも禁止される。
なお、Ｓ６１０での判断の結果、書込禁止フラグが設定済みである場合には、Ｓ６４０へと進む。また、Ｓ６２０での判断の結果、状態変化作業が未だ行われていない場合、書込禁止フラグを未設定に維持したまま、Ｓ６４０へと進む。
【０２８０】
続くＳ６４０では、受信した動作指令がリーダライタ装置４２０からの書込指令であるか否かを判断する。その判断の結果、動作指令が書込指令であれば、Ｓ６５０にて、書込禁止フラグが設定済みであるか否かを判断する。
【０２８１】
そして、Ｓ６５０での判断の結果、書込禁止フラグが設定済みでなければ、リーダライタ装置４２０から送信された物品情報を記憶部２４Ｃに書き込んだ後（Ｓ６６０）、本処理を終了する。その後、次の動作指令が入力されるまで待機する。
【０２８２】
一方、Ｓ６５０での判断の結果、書込禁止フラグが設定済みであれば、リーダライタ装置４２０から送信された物品情報を破棄した上で、本処理を終了する。そして、その後、次の動作指令が入力されるまで待機する。
【０２８３】
ところで、Ｓ６４０での判断の結果、受信した動作指令が書込指令でなければ、Ｓ６７０へと進む。
そのＳ６７０では、リーダライタ装置４２０またはリーダ装置４４０からの読出指令であるか否かを判断する。この判断の結果、動作指令が読出指令であれば、Ｓ６８０にて、記憶部２４Ｃに記憶されている物品情報を読み出す。そして、その記憶部２４Ｃから読み出した物品情報を、送受信部２２Ｃへと出力する。すると、送受信部２２Ｃは、その記憶部２４Ｃから読み出した物品情報を読み出し指令の発信元のリーダライタ装置４２０またはリーダ装置４４０へと送信する。その後本処理を終了して、次の動作指令が入力されるまで待機する。
【０２８４】
一方、Ｓ６７０での判断の結果、動作指令が、書込指令または読出指令以外のもの（例えば、ＩＣタグ２０Ｃの動作をテストするためのチェック指令など）であれば、Ｓ６９０へと進む。そのＳ６９０では、動作指令に従った制御（例えば、チェック指令であれば、ＩＣタグ２０Ｃが正常に動作するか否かをチェックするチェック動作）を実行する。その後、本処理を終了して、次の動作指令が入力されるまで待機する。
［第６実施形態の効果］
以上説明したように、本実施形態の図書管理システム４０１では、図書４０２に取り付けられるＩＣタグユニット４１０のＩＣタグ２０Ｃに書き込まれている物品情報が不正に書き換えられることが抑制できるため、図書に関する情報の信頼性を高めることができる。
【０２８５】
また、複数の図書４０２から情報を一度に集めて検索や棚卸を行うことができるため、本の検索や棚卸を容易に行えるようになる。
また、図書４０２の概要などの詳細情報をリーダ装置４４０で読み込んで参照できる。
［第６実施形態の変形例］
以上、本発明の第６実施形態について説明したが、本発明は上記実施形態に限定されるものではなく、本発明の要旨を逸脱しない範囲において、様々な態様にて実施することが可能である。
【０２８６】
例えば、上記実施形態においては、図書の管理を行うシステムを例示したが、レンタル品や備品を管理する場面においても、棚卸などに利用することができる。
［第７実施形態］
次に、本発明の第７実施形態について説明する。
＜入場システムの構成＞
本実施形態の入場システム５０１の概略構成図を図２７に示す。入場システム５０１は、チケットを利用して入場する施設において使用されるシステムである。
【０２８７】
この入場システム５０１は、チケットとして利用されるＩＣタグユニット５１０と、施設の入口等に設置される入場機５２０と、入場機５２０と通信可能なサーバ５３０と、を備えている。
【０２８８】
ＩＣタグユニット５１０は、図２８（Ａ）に示すように、シート状に形成されており、第１片５１１と、第２片５１２と、が切取線５１３を介して繋がってなるものである。この切取線５１３は、第１片５１１と第２片５１２とを分離しやすくするためのものであり、例えばミシン目によってなるものである。第１片５１１の内部にはＩＣタグ２０Ｇが配置されている。
【０２８９】
このＩＣタグ２０Ｇは、図１８に示すＩＣタグ２０Ａと同様に、状態検出配線２６Ｇと、図示しない送受信アンテナ，送受信部，電源部，記憶部，処理部などを備えており、入場機５２０が備える後述するリーダライタ装置５２１からの動作指令に応じて記憶部への物品情報の書き込み、読み出しを行う。なお、本実施形態における物品情報とは、予め記憶されているＩＣタグユニット５１０の識別情報，及び入場時に入場機５２０により入力される入場日時情報，入場機情報が該当する。
【０２９０】
状態検出配線２６Ｇは、上記処理部の回路の一部を構成している。そして、この状態検出配線２６Ｇが通電可能な状態では、リーダライタ装置５２１からの書込指令に応じて記憶部に対して物品情報を書き込むことができるが、状態検出配線２６Ｇが切断されると処理部の一部が破壊され、記憶部に対して物品情報の書き込みができなくなる。
【０２９１】
上記状態検出配線２６Ｇは、図２８（Ａ）に示すように、第１片５１１と第２片５１２との内部にて切取線５１３をまたぐように配置されている。
ここで、第１片５１１と第２片５１２とが繋がっている場合には、状態検出配線２６Ｇが通電可能であるため、ＩＣタグ２０Ｇへの物品情報の書き込みが可能である。一方、第１片５１１と第２片５１２とを分離させた状態では、状態検出配線２６Ｇが断線するため、ＩＣタグ２０Ｇへの物品情報の書き込みが不能となる。
【０２９２】
また、入場機５２０は、図２７に示すように、リーダライタ装置５２１と、入場券処理装置５２２と、制御装置５２３と、を有するものである。
リーダライタ装置５２１は、送受信アンテナ５２１Ａ，制御部５２１Ｂなどを有しており、ＩＣタグ２０Ｇに対する動作指令（書込指令，読出指令）と、読出指令に応じて返信された物品情報の取得が可能に構成されている。
【０２９３】
入場券処理装置５２２は、図２８（Ｂ）に示すように、入場機５２０の入券口５２４に投入したＩＣタグユニット５１０を出券口５２５にまで搬送する装置であって、その搬送の過程において第２片５１２を切り取って保管すると共に、リーダライタ装置５２１による各処理を行わせる。
【０２９４】
説明を図２７に戻る。制御装置５２３は、リーダライタ装置５２１及び入場券処理装置５２２を統轄制御するものであって、ＲＯＭ，ＲＡＭ，ＣＰＵを少なくとも有した周知のマイクロコンピュータ、及び記憶装置を中心に構成された周知のものである。
【０２９５】
また、サーバ５３０は、ＲＯＭ，ＲＡＭ，ＣＰＵを少なくとも有した周知のマイクロコンピュータ、及び記憶装置を中心に構成された周知のものである。
そのサーバ５３０の記憶装置は入場管理データベースを有している。この入場管理データベースには、リーダライタ装置５２１にてＩＣタグ２０Ｇから読み取られた物品情報が記憶される。
＜入場機による処理＞
入場機５２０の制御装置５２３による入場処理の処理手順を、図２９に示すフローチャートに基づいて説明する。本処理は、入券口５２４にＩＣタグユニット５１０が投入された際に開始する。
【０２９６】
まず、Ｓ１０１０として、リーダライタ装置５２１に後述するリード処理を行わせ、ＩＣタグ２０Ｇに記憶されるＩＣタグユニット５１０の物品情報を読み込む。
続いて、Ｓ１０１２として、ＩＣタグ２０Ｇに識別情報以外の情報が書き込まれているか否かを判断する。具体的には、Ｓ１０１０にて読み込んだ物品情報に後述するＳ１０２０にて書き込まれる入場日時情報や入場機情報が含まれていた場合に、情報の書き込みがある、即ち既に入場処理を行ったＩＣタグユニット５１０であると判断し、Ｓ１０１４にて再入場可能であるか否かを判断する。
【０２９７】
Ｓ１０１４では、再入場可能な期間であるか、または再入場可能である情報を入力されているか否かをチェックする。具体的には、再入場可能な期間内であるか、前回の入場が正規の入場機を介して行われているか、Ｓ１０１０にて取得した識別番号が、入場を許可された識別番号としてサーバ５３０に記憶されているか、などがチェックされる。再入場可能であれば、Ｓ１０１６にてＩＣタグユニットを出券口に搬送し、本処理を終了する。一方、再入場不可である場合には、処理がＳ１０８０に移行する。
【０２９８】
また、Ｓ１０１２にて、識別情報以外の情報が書き込まれていない場合、Ｓ１０２０として、リーダライタ装置５２１に書込指令を送信させ、ＩＣタグ２０Ｇに物品情報として入場日時情報、当該入場機を識別する入場機情報を書き込む。
【０２９９】
続いて、Ｓ１０３０として、Ｓ１０２０における書き込みが完了したか否かを判断する。書き込みができない場合、半券が予め切り取られている，または不正な入場券である可能性があるとして、Ｓ１０８０に処理が移行する。
【０３００】
一方、書き込みが完了している場合、Ｓ１０４０として入場券処理装置５２２に半券（第２片５１２）を切り取らせる。これにより、状態検出配線２６Ｇが断線し記憶部へのデータ（物品情報など）の書き込みがハード構成上不能となる。
【０３０１】
その後Ｓ１０５０として書き込み不可か否かを判断する。具体的には、リーダライタ装置５２１に、ＩＣタグ２０Ｇに書込禁止フラグが設定されているか否かを問い合わさせて、当該フラグが設定されていれば書き込み不可と判断する。
【０３０２】
なお、この書込禁止フラグは、設定されていれば、状態検出配線２６Ｇが断線し記憶部へのデータ（物品情報など）の書き込みがハード構成上不能となっていることを表し、設定されていなければ、記憶部へのデータの書き込みがハード構成上可能であることを表すものである。また、書き込み禁止フラグが設定されている状態では、物品情報の書き込みのみでなく、制御ソフト，アプリケーションソフトの書き込みも禁止される。
【０３０３】
上記Ｓ１０５０にて、書き込みが不可でなければ、半券の切り取り時にエラーが発生した，または不正な入場券である可能性があるとして、Ｓ１０８０に処理が移行する。
書き込みが不可であれば、Ｓ１０６０として、出券口５２５にＩＣタグユニット５１０の第１片５１１を送り出し、その後Ｓ１０７０として、Ｓ１０１０にて取得した識別情報，入場日時情報，及び入場機情報をサーバ５３０に送信する。なお、サーバ５３０は、入場管理データベースにそれらの情報を記憶する。その後、本処理を終了する。
【０３０４】
また、Ｓ１０１４にて再入場が可能でない場合、Ｓ１０３０にて書き込みが完了できない場合、及び、Ｓ１０５０にて書き込み不可とならない場合には、Ｓ１０８０として、ＩＣタグユニット５１０を入券口に戻し、その後Ｓ１０９０として入場券異常の出力を外部装置（管理者呼び出しスピーカなど）に行い、本処理を終了する。
＜ＩＣタグによる処理＞
ＩＣタグ２０Ｇによって実行されるＩＣタグ制御処理の処理手順は、図２２に基づいて説明する。
【０３０５】
このＩＣタグ２０Ｇの処理部は、まず、書込禁止フラグが設定済みであるか否かを判断する（Ｓ６１０）。
そのＳ６１０での判断の結果、書込禁止フラグが設定済みでなければ、Ｓ６２０へと進み、状態変化作業済みであるか否かを判断する。本実施例における状態変化作業とは、入場券処理装置５２２による半券（第２片５１２）を切り取る作業である。
【０３０６】
このＳ６２０では、状態検出配線２６Ｇが通電可能であれば上記作業は行われていないと判断し、状態検出配線２６Ｇが通電可能でなければ上記作業が既に行われていると判断する。
【０３０７】
そして、Ｓ６２０での判断の結果、状態変化作業済みであれば、書込禁止フラグを設定して（Ｓ６３０）、その後、Ｓ６４０へと進む。
つまり、状態検出配線２６Ｇが断線された後、リーダライタ装置５２１からの動作指令を最初に受信した際に、書込禁止フラグが設定される。
【０３０８】
なお、Ｓ６１０での判断の結果、書込禁止フラグが設定済みである場合には、Ｓ６４０へと進む。また、Ｓ６２０での判断の結果、状態変化作業が未だ行われていない場合、書込禁止フラグを未設定に維持したまま、Ｓ６４０へと進む。
【０３０９】
続くＳ６４０では、受信した動作指令がリーダライタ装置５２１からの書込指令であるか否かを判断する。その判断の結果、動作指令が書込指令であれば、Ｓ６５０にて、書込禁止フラグが設定済みであるか否かを判断する。
【０３１０】
そして、Ｓ６５０での判断の結果、書込禁止フラグが設定済みでなければ、リーダライタ装置５２１から送信された物品情報を記憶部に書き込んだ後（Ｓ６６０）、本処理を終了する。その後、次の動作指令が入力されるまで待機する。
【０３１１】
一方、Ｓ６５０での判断の結果、書込禁止フラグが設定済みであれば、リーダライタ装置５２１から送信された物品情報を破棄した上で、本処理を終了する。そして、その後、次の動作指令が入力されるまで待機する。
【０３１２】
ところで、Ｓ６４０での判断の結果、受信した動作指令が書込指令でなければ、Ｓ６７０へと進む。
そのＳ６７０では、リーダライタ装置５２１からの読出指令であるか否かを判断する。この判断の結果、動作指令が読出指令であれば、Ｓ６８０にて、記憶部に記憶されている物品情報を読み出す。そして、その記憶部から読み出した物品情報を、送受信部へと出力する。すると、送受信部は、その記憶部から読み出した物品情報をリーダライタ装置５２１へと送信する。その後本処理を終了して、次の動作指令が入力されるまで待機する。
【０３１３】
一方、Ｓ６７０での判断の結果、動作指令が、書込指令または読出指令以外のもの（例えば、ＩＣタグ２０Ｇの動作をテストするためのチェック指令など）であれば、Ｓ６９０へと進む。そのＳ６９０では、動作指令に従った制御（例えば、チェック指令であれば、ＩＣタグ２０Ｇが正常に動作するか否かをチェックするチェック動作）を実行する。その後、本処理を終了して、次の動作指令が入力されるまで待機する。
＜リーダライタ装置による処理＞
リーダライタ装置５２１によって実行されるリード処理の処理手順を、図２１に示すフローチャートに基づいて説明する。
【０３１４】
このリード処理は、起動されると、図２１に示すように、Ｓ５４０にて、送受信アンテナ５２１Ａを介して読出指令をＩＣタグ２０Ｇに送信する。
続くＳ５５０にて、ＩＣタグ２０Ｇからの返信される物品情報を、送受信アンテナ５２１Ａを介して取得したか否かを判断する。その判断の結果、物品情報を取得していなければ、当該リーダライタ装置５２１の通信範囲内にＩＣタグ２０Ｇが存在しないか、あるいは存在していても物品情報を返信してこないものと判断して、Ｓ５４０へと戻り、読出指令を再度送信する。
【０３１５】
一方、物品情報を取得していれば、即ち、当該リーダライタ装置５２１の通信範囲内にＩＣタグ２０Ｇが存在し、そのＩＣタグ２０Ｇが物品情報を返信していれば、Ｓ５６０へと進む。そのＳ５６０では、ＩＣタグ２０Ｇから送信された物品情報を、制御装置５２３に出力する。その後、リード処理を終了する。
［第７実施形態の効果］
以上説明したように、本実施形態の入場システム５０１では、入場時にＩＣタグユニット５１０のＩＣタグ２０Ｇが書き込み可能な状態、または、再入場可能なデータが記憶されていたり、入場可能な日時データに合致していたりする場合でないと入場が許可されない。また、入場時に入場者に戻るのは半券（第１片５１１）のみであり、またその半券のＩＣタグ２０Ｇは書き込みが不可となる状態となっている。したがって、その第１片５１１に基づいてＩＣタグユニット５１０を再生したり、使用可能な状態にしたりすることは非常に困難となるため、偽造入場券が作成されてしまうことを抑制することができる。
【０３１６】
また、第１片５１１にＩＣタグ２０Ｇが残るため、そのＩＣタグ２０Ｇを施設内での催し物の受付や予約などに利用することができる。またその受付や予約のタイミングでＩＣタグ２０Ｇから読み出した物品情報と、サーバ５３０に記憶された物品情報と、を照合することで、例えば既に使用期限の切れた半券の不正利用を防止することができる。
【０３１７】
さらに、例えば施設の入場者数が多く入場口が混雑した場合や入場機５２０が故障した場合など、入場機５２０を使用せずに入場を行わせたい場合において、本実施形態のＩＣタグユニット５１０では、人手によって第２片５１２を切り落とすだけで、ＩＣタグ２０Ｇへの書き込みを防止することができる。これにより、入場の混雑が解消できるうえ、そのＩＣタグ２０Ｇを入場券の偽造に用いることを困難にすることができたり、使用済みとして再入場を不可能にしたりすることができる。
［第７実施形態の変形例］
以上、本発明の第７実施形態について説明したが、本発明は上記実施形態に限定されるものではなく、本発明の要旨を逸脱しない範囲において、様々な態様にて実施することが可能である。
【０３１８】
例えば、上記実施形態においては、入場の管理を行うシステムを例示したが、乗車券や所定期間使用できる券など利用することができる。
【符号の説明】
【０３１９】
１…情報処理システム  ８…対象物品  １０，１１０，２１０…ＩＣタグユニット  １１…操作受付部  １２，１１２，２１２…状態検出センサー  １２Ａ，Ｂ、１１２Ａ，Ｂ、２１２Ａ，Ｂ…端子  １２Ｃ…接続線  １３…通知機構  １３Ａ…状態情報表示部  １３Ｂ…背景部  １３Ｃ…状態情報  １４…操作部  １６…剥離部  １７…ピン  １８…窓部
１９…本体部  １９Ａ…嵌入孔  １９Ｂ…表面上  ２０，２０Ａ〜２０Ｇ…ＩＣタグ  ２１…送受信アンテナ  ２２…送受信部  ２３…電源部  ２４…記憶部  ２５…処理部  ３０…金銭登録機  ３１，８３…リーダライタ装置  ３１Ａ…入力受付部  ３１Ｂ…制御部  ３１Ｃ…送受信アンテナ  ３３…リード装置  ３５，８２…情報処理装置  ３５Ａ，８２Ａ…マイクロコンピュータ  ３５Ｂ，８２Ｂ…操作部  ３５Ｃ，８２Ｃ…報知部  ７０，８０…対象物品管理システム  ７１…ライト装置  ７２…サーバ  １１２Ｄ…薄膜  ２１２Ｅ…状態変化物質  ２１９Ａ…窪み  ３０１…配達記録管理システム、３０２…物流対象物、３１０…ＩＣタグユニット、３１１…貼付部、３１２…剥離部、３１３…切取線、３１４…角部、３１５…記載欄、３２０…ライト装置、３３０…リーダ装置、３４０…サーバ、３５０…ＩＣタグユニット、３５１…結束バンド、３５２…主要部、３５３…切り離し部、３５４…表示部、３６０…ＩＣタグユニット、３６１…主要部、３６２…切り離し部、３７０…ＩＣタグユニット、３７１…ベースシール、３７２…表面シール、３８０…ＩＣタグユニット、３８１…消費者タグ、３８２…販売店タグ、４０１…図書管理システム、４０２…図書、４１０…ＩＣタグユニット、４２０…リーダライタ装置、４３０…サーバ、４４０…リーダ装置、４４１…表示画面、５０１…入場システム、５１０…ＩＣタグユニット、５１１…第１片、５１２…第２片、５１３…切取線、５２０…入場機、５２１…リーダライタ装置、５２２…入場券処理装置、５２３…制御装置、５２４…入券口、５２５…出券口、５３０…サーバ
【図１】
2011028715.tif 000003
【図２】
2011028715.tif 000004
【図３】
2011028715.tif 000005
【図４】
2011028715.tif 000006
【図５】
2011028715.tif 000007
【図６】
2011028715.tif 000008
【図７】
2011028715.tif 000009
【図８】
2011028715.tif 000010
【図９】
2011028715.tif 000011
【図１０】
2011028715.tif 000012
【図１１】
2011028715.tif 000013
【図１２】
2011028715.tif 000014
【図１３】
2011028715.tif 000015
【図１４】
2011028715.tif 000016
【図１５】
2011028715.tif 000017
【図１６】
2011028715.tif 000018
【図１７】
2011028715.tif 000019
【図１８】
2011028715.tif 000020
【図１９】
2011028715.tif 000021
【図２０】
2011028715.tif 000022
【図２１】
2011028715.tif 000023
【図２２】
2011028715.tif 000024
【図２３】
2011028715.tif 000025
【図２４】
2011028715.tif 000026
【図２５】
2011028715.tif 000027
【図２６】
2011028715.tif 000028
【図２７】
2011028715.tif 000029
【図２８】
2011028715.tif 000030
【図２９】
2011028715.tif 000031